(57)【要約】      （修正有）【課題】空調空気を加湿する空調運転を実施することができ、空調機の加湿機構の殺菌が必要な場合に機能水を利用した殺菌運転を実施することができる空調システムを提供する。【解決手段】空調システム１０Ａでは、測定湿度が設定湿度に達していない場合、加湿エレメント２２が空調機１２によって作られた空調空気を加湿し、加湿された空調空気を空調室１１に供給する第１空調運転を実施し、測定湿度が設定湿度に達している場合、加湿エレメント２２への加湿水の給水を停止し、空調機１２によって作られた空調空気を空調室１１に供給する第２空調運転を実施し、加湿エレメント２２に発生した菌を殺菌する場合、加湿水および第２機能水の給水を停止しつつ第１機能水を加湿エレメント２２に供給する強殺菌運転と加湿水および第１機能水の給水を停止しつつ第２機能水を加湿エレメント２２に供給する弱殺菌運転とのいずれかを実施する。【選択図】図１
2015215158.tif 000002
【特許請求の範囲】
【請求項１】
空調室に空調空気を供給する空調機と、前記空調機に設置された加湿機構に加湿水を給水する加湿水供給ラインと、前記加湿機構を殺菌可能であって殺菌作用が強い第１機能水を該加湿機構に供給する第１機能水供給ラインと、前記加湿機構を殺菌可能であって前記第１機能水よりも殺菌作用が弱い第２機能水を該加湿機構に供給する第２機能水供給ラインと、前記第１機能水供給ラインにつながって一定量の前記第１機能水を貯水する第１機能水貯水タンクと、前記第２機能水供給ラインにつながって一定量の前記第２機能水を貯水する第２機能水貯水タンクと、前記第１機能水貯水タンクに貯水された第１機能水を前記加湿機構に送水する第１送水ポンプと、前記第２機能水貯水タンクに貯水された第２機能水を前記加湿機構に送水する第２送水ポンプとを有し、
前記加湿水供給ラインから前記加湿機構へ加湿水を給水するとともに、前記加湿機構が前記空調機によって作られた空調空気を加湿し、加湿された空調空気を前記空調室に供給する第１空調運転と、前記加湿水供給ラインからの前記加湿機構への加湿水の給水を停止するとともに、前記空調機によって作られた空調空気を前記空調室に供給する第２空調運転と、前記第１および第２空調運転を停止するとともに、前記加湿水給水ラインからの加湿水の給水および前記第２機能水供給ラインからの第２機能水の給水を停止しつつ、前記第１機能水貯水タンクに貯水された第１機能水を前記第１送水ポンプを介して前記第１機能水供給ラインから前記加湿機構に供給する強殺菌運転と、前記第１および第２空調運転を停止するとともに、前記加湿水給水ラインからの加湿水の給水および前記第１機能水供給ラインからの第１機能水の給水を停止しつつ、前記第２機能水貯水タンクに貯水された第２機能水を前記第２送水ポンプを介して前記第２機能水供給ラインから前記加湿機構に供給する弱殺菌運転とのいずれかを実施することを特徴とする加湿および殺菌可能な空調システム。
【請求項２】
前記空調システムが、前記空調室に設置された湿度センサを含み、前記空調システムでは、前記湿度センサが計測した湿度が設定湿度に達していない場合、前記第１空調運転を実施し、前記湿度センサが計測した湿度が設定湿度に達している場合、前記第２空調運転を実施する請求項１に記載の加湿および殺菌可能な空調システム。
【請求項３】
前記空調システムが、前記第１機能水供給ラインに設置されて前記第１機能水を生成しつつ該第１機能水を前記第１機能水貯水タンクに供給する第１機能水生成装置と、前記第２機能水供給ラインに設置されて前記第２機能水を生成しつつ該第２機能水を前記第２機能水貯水タンクに供給する第２機能水生成装置とを含み、前記第１機能水貯水タンクが、前記第１機能水生成装置によって生成された第１機能水を貯水し、前記第２機能水貯水タンクが、前記第２機能水生成装置によって生成された第２機能水を貯水し、前記第１機能水生成装置が、前記第１機能水貯水タンクに略一定量の第１機能水が貯水されるように該第１機能水を該第１機能水貯水タンクに供給し、前記第２機能水生成装置が、前記第２機能水貯水タンクに略一定量の第２機能水が貯水されるように該第２機能水を該第２機能水貯水タンクに供給する請求項１または請求項２に記載の加湿および殺菌可能な空調システム。
【請求項４】
前記空調機が、そこにおいて発生する排水を捕集するドレンパンを有し、前記強殺菌運転では、前記第１機能水貯水タンクに貯水された第１機能水を前記第１機能水供給ラインから前記ドレンパンに供給して該ドレンパンに発生した菌を殺菌し、前記弱殺菌運転では、前記第２機能水貯水タンクに貯水された第２機能水を前記第２機能水供給ラインから前記ドレンパンに供給して該ドレンパンに発生した菌を殺菌する請求項１ないし請求項３いずれかに記載の加湿および殺菌可能な空調システム。
【請求項５】
前記空調システムでは、前記第１空調運転または前記第２空調運転を所定期間実施した後に前記強殺菌運転と前記弱殺菌運転とのいずれかを実施し、前記強殺菌運転または前記弱殺菌運転を所定時間実施した後に前記第１空調運転と前記第２空調運転とのいずれかを再び実施し、前記第１空調運転または前記第２空調運転を実施してから前記強殺菌運転を実施するまでの前記所定期間が該第１空調運転または該第２空調運転を実施してから前記弱殺菌運転を実施するまでの該所定期間よりも長い請求項１ないし請求項４いずれかに記載の加湿および殺菌可能な空調システム。
【請求項６】
前記空調システムでは、２室以上の前記空調室が存在するとともに、それら各空調室へ空調空気を供給する２つ以上の前記空調機が存在し、前記第１および第２空調運転では、それら空調機によって作られた空調空気を各空調室に供給し、前記強殺菌運転では、前記第１機能水貯水タンクに貯水された第１機能水を前記第１機能水供給ラインから各空調機に設置された各加湿機構に供給し、前記弱殺菌運転では、前記第２機能水貯水タンクに貯水された第２機能水を前記第２機能水供給ラインから各空調機に設置された各加湿機構に供給する請求項１ないし請求項５いずれかに記載の加湿および殺菌可能な空調システム。
【請求項７】
前記空調システムでは、それら各空調室毎に前記第１空調運転または前記第２空調運転を所定期間個別に実施した後に前記強殺菌運転と前記弱殺菌運転とのいずれかをそれら各空調機毎に所定時間個別に実施し、それら各空調室毎に前記強殺菌運転または前記弱殺菌運転を所定時間個別に実施した後に前記第１空調運転と前記第２空調運転とのいずれかを所定期間個別に再び実施する請求項６に記載の加湿および殺菌可能な空調システム。
【請求項８】
前記強殺菌運転または前記弱殺菌運転では、前記空調機の稼働を停止して該空調機から前記空調室への空調空気の供給を停止し、前記第１機能水または前記第２機能水を前記加湿機構に留めて該加湿機構のみを殺菌する第１殺菌運転と、前記空調機の稼働を継続して該空調機から前記空調室への空調空気の供給を継続し、前記第１機能水または前記第２機能水の成分を含む空調空気を前記空調室に供給して前記加湿機構と該空調室とを殺菌する第２殺菌運転とのいずれかを実施する請求項１ないし請求項７いずれかに記載の加湿および殺菌可能な空調システム。
【請求項９】
前記空調システムでは、前記第１空調運転または前記第２空調運転を所定期間実施した後に前記第１殺菌運転と前記第２殺菌運転とのいずれかを実施するとともに、前記第１殺菌運転または前記第２殺菌運転を所定時間実施した後に前記第１空調運転と前記第２空調運転とのいずれかを再び実施する請求項８に記載の加湿および殺菌可能な空調システム。
【請求項１０】
前記加湿機構が、前記空調機に設置された気化式加湿エレメントからなる気化式加湿機構または該空調機に設置された噴霧装置およびエリミネーターからなる噴霧式加湿機構のいずれかである請求項１ないし請求項９いずれかに記載の加湿および殺菌可能な空調システム。
【請求項１１】
前記機能水が、電解機能水、弱酸性水、塩素系水溶液、オゾン水、過酸化水素水の中から選択された少なくとも１種類である請求項１ないし請求項１０いずれかに記載の加湿および殺菌可能な空調システム。
【請求項１２】
空調室に空調空気を供給する空調機と、前記空調機に設置された加湿機構に加湿水を給水する加湿水供給ラインと、前記加湿機構を殺菌可能であって殺菌作用が強い第１機能水を該加湿機構に供給する第１機能水供給ラインと、前記加湿機構を殺菌可能であって前記第１機能水よりも殺菌作用が弱い第２機能水を該加湿機構に供給する第２機能水供給ラインと、前記第１機能水供給ラインにつながって一定量の前記第１機能水を貯水する第１機能水貯水タンクと、前記第２機能水供給ラインにつながって一定量の前記第２機能水を貯水する第２機能水貯水タンクと、前記第１機能水貯水タンクに貯水された第１機能水を前記加湿機構に送水する第１送水ポンプと、前記第２機能水貯水タンクに貯水された第２機能水を前記加湿機構に送水する第２送水ポンプとを備え、
前記加湿水供給ラインから前記加湿機構へ加湿水を給水するとともに、前記加湿機構が前記空調機によって作られた空調空気を加湿し、加湿された空調空気を前記空調室に供給する第１空調操作と、前記加湿水供給ラインからの前記加湿機構への加湿水の給水を停止するとともに、前記空調機によって作られた空調空気を前記空調室に供給する第２空調操作と、前記第１および第２空調操作を停止するとともに、前記加湿水給水ラインからの加湿水の給水および前記第２機能水供給ラインからの第２機能水の給水を停止しつつ、前記第１機能水貯水タンクに貯水された第１機能水を前記第１送水ポンプを介して前記第１機能水供給ラインから前記加湿機構に供給する強殺菌操作と、前記第１および第２空調操作を停止するとともに、前記加湿水給水ラインからの加湿水の給水および前記第１機能水供給ラインからの第１機能水の給水を停止しつつ、前記第２機能水貯水タンクに貯水された第２機能水を前記第２送水ポンプを介して前記第２機能水供給ラインから前記加湿機構に供給する弱殺菌操作とのいずれかが実施されることを特徴とする加湿および殺菌可能な空調方法。
【請求項１３】
前記空調方法が、前記空調室に設置された湿度センサを含み、前記空調方法では、前記湿度センサが計測した湿度が設定湿度に達していない場合、前記第１空調操作が実施され、前記湿度センサが計測した湿度が設定湿度に達している場合、前記第２空調操作が実施される請求項１３に記載の加湿および殺菌可能な空調方法。
【請求項１４】
前記空調方法が、前記第１機能水供給ラインに設置されて前記第１機能水を生成しつつ該第１機能水を前記第１機能水貯水タンクに供給する第１機能水生成装置と、前記第２機能水供給ラインに設置されて前記第２機能水を生成しつつ該第２機能水を前記第２機能水貯水タンクに供給する第２機能水生成装置とを含み、前記空調方法では、前記第１機能水貯水タンクが前記第１機能水生成装置によって生成された第１機能水を貯水し、前記第２機能水貯水タンクが前記第２機能水生成装置によって生成された第２機能水を貯水し、前記第１機能水生成装置が前記第１機能水貯水タンクに略一定量の第１機能水が貯水されるように該第１機能水を該第１機能水貯水タンクに供給し、前記第２機能水生成装置が前記第２機能水貯水タンクに略一定量の第２機能水が貯水されるように該第２機能水を該第２機能水貯水タンクに供給する請求項１２または請求項１３に記載の加湿および殺菌可能な空調方法。
【請求項１５】
前記空調機が、そこにおいて発生する排水を捕集するドレンパンを備え、前記強殺菌操作では、前記第１機能水貯水タンクに貯水された第１機能水が前記第１機能水供給ラインから前記ドレンパンに供給されて該ドレンパンに発生した菌が殺菌され、前記弱殺菌操作では、前記第２機能水貯水タンクに貯水された第２機能水が前記第２機能水供給ラインから前記ドレンパンに供給されて該ドレンパンに発生した菌が殺菌される請求項１２ないし請求項１４いずれかに記載の加湿および殺菌可能な空調方法。
【請求項１６】
前記空調システムでは、前記第１空調操作または前記第２空調操作が所定期間実施された後に前記強殺菌操作と前記弱殺菌操作とのいずれかが実施され、前記強殺菌操作または前記弱殺菌操作が所定時間実施された後に前記第１空調操作と前記第２空調操作とのいずれかが再び実施され、前記第１空調操作または前記第２空調操作転が実施されてから前記強殺菌操作転が実施されるまでの前記所定期間が該第１空調操作または該第２空調操作が実施されてから前記弱殺菌操作が実施されるまでの該所定期間よりも長い請求項１２ないし請求項１５ずれかに記載の加湿および殺菌可能な空調方法。
【請求項１７】
前記空調方法では、２室以上の前記空調室が存在するとともに、それら各空調室へ空調空気を供給する２つ以上の前記空調機が存在し、前記第１および第２空調操作では、それら空調機によって作られた空調空気を各空調室に供給し、前記強殺菌操作では、前記第１機能水貯水タンクに貯水された第１機能水が前記第１機能水供給ラインから各空調機に設置された各加湿機構に供給され、前記弱殺菌操作では、前記第２機能水貯水タンクに貯水された第２機能水が前記第２機能水供給ラインから各空調機に設置された各加湿機構に供給される請求項１２ないし請求項１６いずれかに記載の加湿および殺菌可能な空調方法。
【請求項１８】
前記空調方法では、それら各空調室毎に前記第１空調操作または前記第２空調操作が所定期間個別に実施された後に前記強殺菌操作と前記弱殺菌操作とのいずれかがそれら各空調機毎に所定時間個別に実施され、それら各空調室毎に前記強殺菌操作または前記弱殺菌操作が所定時間個別に実施された後に前記第１空調操作と前記第２空調操作とのいずれかが所定期間個別に再び実施される請求項１７に記載の加湿および殺菌可能な空調方法。
【請求項１９】
前記強殺菌操作または前記弱殺菌操作では、前記空調機の稼働を停止して該空調機から前記空調室への空調空気の供給を停止し、前記第１機能水または前記第２機能水を前記加湿機構に留めて該加湿機構のみを殺菌する第１殺菌操作と、前記空調機の稼働を継続して該空調機から前記空調室への空調空気の供給を継続し、前記第１機能水または前記第２機能水の成分を含む空調空気を前記空調室に供給して前記加湿機構と該空調室とを殺菌する第２殺菌操作とのいずれかが実施される請求項１２ないし請求項１８いずれかに記載の加湿および殺菌可能な空調方法。
【請求項２０】
前記空調方法では、前記第１空調操作または前記第２空調操作が所定期間実施された後に前記第１殺菌操作と前記第２殺菌操作とのいずれかが実施されるとともに、前記第１殺菌操作または前記第２殺菌操作が所定時間実施された後に前記第１空調操作と前記第２空調操作とのいずれかが再び実施される請求項１９に記載の加湿および殺菌可能な空調方法。
【請求項２１】
前記空調方法では、前記加湿機構が前記空調機に設置された気化式加湿エレメントからなる気化式加湿機構または該空調機に設置された噴霧装置およびエリミネーターからなる噴霧式加湿機構のいずれかである請求項１２ないし請求項２０いずれかに記載の加湿および殺菌可能な空調方法。
【請求項２２】
前記空調方法では、前記機能水が電解機能水、弱酸性水、塩素系水溶液、オゾン水、過酸化水素水の中から選択された少なくとも１種類である請求項１２ないし請求項２１いずれかに記載の加湿および殺菌可能な空調方法。
【発明の詳細な説明】
【技術分野】
【０００１】
本発明は、空調空気を加湿可能であって加湿機構を殺菌可能な空調システムおよび空調空気を加湿可能であって加湿機構を殺菌可能な空調方法に関する。
【背景技術】
【０００２】
空調機内における空気通路の一部に空気通路の断面全体をほぼ覆うように設けられた除菌脱臭エレメントと、除菌脱臭エレメントに対して殺菌水を供給することによって除菌脱臭エレメントのほぼ全面に水膜を形成する殺菌水生成装置とを備え、除菌脱臭エレメントに形成された水膜に対して空調機内に導入された空気を接触させるように構成し、空調機によって循環する空気中に存在する微生物の除菌および臭気の除去を行う除菌脱臭空調システムがある（特許文献１参照）。殺菌水としては、塩化物を添加した水溶液を電気分解して生成される次亜塩素酸を含む電解機能水であって、ｐＨ３以下の強酸性水やｐＨ５〜７の電解中性水、ｐＨ８〜９の電解次亜水の中から選択された電解機能水、次亜塩素酸（ＨＯＣｌ）を主成分とし、ｐＨ５〜７の弱酸性で有効塩素濃度が数ｐｐｍ〜数１００ｐｐｍの弱酸性水、塩化物がとけ込んだ水溶液を有効塩素濃度が数ｐｐｍ〜数１００ｐｐｍ程度に希釈し、殺菌能力を保持した塩素系水溶液、オゾンを水に溶け込ませたオゾン水が使用される。
【０００３】
この除菌脱臭空調システムは、空調機内の一部に設置された除菌脱臭エレメントを殺菌水で湿らせることによって除菌脱臭エレメントの全面に水膜を形成し、この水膜と除菌脱臭対象となる空気とを接触させることができるから、気液接触面積が大幅に増大させることができ、その結果、空気中の微生物を高い効率で除去することができるとともに、空気中に存在する臭気やガスを除去することができる。水廻りに殺菌水を使用することにより、循環空気はもとより空調機の内部まで十分に除菌できるから、空調機内部の無菌化が可能となる。
【先行技術文献】
【特許文献】
【０００４】
【特許文献１】特開２００３−２２７６２２号公報
【発明の概要】
【発明が解決しようとする課題】
【０００５】
前記特許文献１に開示の除菌脱臭空調システムは、殺菌水生成装置によって生成された殺菌水を常時除菌脱臭エレメントに供給し、その殺菌水を利用して空気中の微生物や空気中の臭気を除去するとともに、空調機の内部を殺菌する。しかし、除菌脱臭空調システムは、殺菌水を利用した殺菌運転のみが実施され、殺菌水の他に加湿水を利用して空調空気を加湿する空調運転を実施することはない。したがって、通常時において空調空気を加湿する空調運転を実施しつつ、空調機の加湿機構の殺菌が必要な場合のみに殺菌水を利用する殺菌運転を実施することができず、殺菌水を含まない加湿された清潔な空調空気を空調室に供給することはできない。また、複数の空調室に空調空気を供給する空調機が存在する場合、それら空調機の加湿機構を同時にまたは個別に殺菌する殺菌運転を実施することができず、殺菌水を含まない加湿された清潔な空調空気をそれら空調機から各空調室に供給することはできない。
【０００６】
本発明の目的は、加湿水を利用して空調空気を加湿する空調運転を実施することができるとともに、空調機の加湿機構の殺菌が必要な場合に機能水を利用した殺菌運転を実施することができる加湿および殺菌可能な空調システムと加湿および殺菌可能な空調方法とを提供することにある。本発明の他の目的は、複数の空調室に空調空気を供給する空調機が存在したとしても、それら空調機の加湿機構を同時にまたは個別に殺菌する殺菌運転を実施することができ、殺菌水を含まない加湿された清潔な空調空気をそれら空調機から各空調室に供給することができる加湿および殺菌可能な空調システムと加湿および殺菌可能な空調方法とを提供することにある。
【課題を解決するための手段】
【０００７】
前記課題を解決するための本発明にかかる加湿および殺菌可能な空調システムは、空調室に空調空気を供給する空調機と、空調機に設置された加湿機構に加湿水を給水する加湿水供給ラインと、加湿機構を殺菌可能であって殺菌作用が強い第１機能水を加湿機構に供給する第１機能水供給ラインと、加湿機構を殺菌可能であって第１機能水よりも殺菌作用が弱い第２機能水を加湿機構に供給する第２機能水供給ラインと、第１機能水供給ラインにつながって一定量の第１機能水を貯水する第１機能水貯水タンクと、第２機能水供給ラインにつながって一定量の第２機能水を貯水する第２機能水貯水タンクと、第１機能水貯水タンクに貯水された第１機能水を加湿機構に送水する第１送水ポンプと、第２機能水貯水タンクに貯水された第２機能水を加湿機構に送水する第２送水ポンプとを有し、加湿水供給ラインから加湿機構へ加湿水を給水するとともに、加湿機構が空調機によって作られた空調空気を加湿し、加湿された空調空気を空調室に供給する第１空調運転と、加湿水供給ラインからの加湿機構への加湿水の給水を停止するとともに、空調機によって作られた空調空気を空調室に供給する第２空調運転と、第１および第２空調運転を停止するとともに、加湿水給水ラインからの加湿水の給水および第２機能水供給ラインからの第２機能水の給水を停止しつつ、第１機能水貯水タンクに貯水された第１機能水を第１送水ポンプを介して第１機能水供給ラインから加湿機構に供給する強殺菌運転と、第１および第２空調運転を停止するとともに、加湿水給水ラインからの加湿水の給水および第１機能水供給ラインからの第１機能水の給水を停止しつつ、第２機能水貯水タンクに貯水された第２機能水を第２送水ポンプを介して第２機能水供給ラインから加湿機構に供給する弱殺菌運転とのいずれかを実施することを特徴とする。
【０００８】
本発明にかかる空調システムの一例としては、空調システムが空調室に設置された湿度センサを含み、空調システムでは、湿度センサが計測した湿度が設定湿度に達していない場合、第１空調運転を実施し、湿度センサが計測した湿度が設定湿度に達している場合、第２空調運転を実施する。
【０００９】
本発明にかかる空調システムの他の一例としては、空調システムが、第１機能水供給ラインに設置されて第１機能水を生成しつつ第１機能水を第１機能水貯水タンクに供給する第１機能水生成装置と、第２機能水供給ラインに設置されて第２機能水を生成しつつ第２機能水を第２機能水貯水タンクに供給する第２機能水生成装置とを含み、第１機能水貯水タンクが、第１機能水生成装置によって生成された第１機能水を貯水し、第２機能水貯水タンクが、第２機能水生成装置によって生成された第２機能水を貯水し、第１機能水生成装置が、第１機能水貯水タンクに略一定量の第１機能水が貯水されるように第１機能水を第１機能水貯水タンクに供給し、第２機能水生成装置が、第２機能水貯水タンクに略一定量の第２機能水が貯水されるように第２機能水を第２機能水貯水タンクに供給する。
【００１０】
本発明にかかる空調システムの他の一例としては、空調機がそこにおいて発生する排水を捕集するドレンパンを有し、強殺菌運転では、第１機能水貯水タンクに貯水された第１機能水を第１機能水供給ラインからドレンパンに供給してドレンパンに発生した菌を殺菌し、弱殺菌運転では、第２機能水貯水タンクに貯水された第２機能水を第２機能水供給ラインからドレンパンに供給してドレンパンに発生した菌を殺菌する。
【００１１】
本発明にかかる空調システムの他の一例として、空調システムでは、第１空調運転または第２空調運転を所定期間実施した後に強殺菌運転と弱殺菌運転とのいずれかを実施し、強殺菌運転または弱殺菌運転を所定時間実施した後に第１空調運転と第２空調運転とのいずれかを再び実施し、第１空調運転または第２空調運転を実施してから強殺菌運転を実施するまでの所定期間が第１空調運転または第２空調運転を実施してから弱殺菌運転を実施するまでの所定期間よりも長い。
【００１２】
本発明にかかる空調システムの他の一例として、空調システムでは、２室以上の前記空調室が存在するとともに、それら各空調室へ空調空気を供給する２つ以上の空調機が存在し、第１および第２空調運転では、それら空調機によって作られた空調空気を各空調室に供給し、強殺菌運転では、第１機能水貯水タンクに貯水された第１機能水を第１機能水供給ラインから各空調機に設置された各加湿機構に供給し、弱殺菌運転では、第２機能水貯水タンクに貯水された第２機能水を第２機能水供給ラインから各空調機に設置された各加湿機構に供給する。
【００１３】
本発明にかかる空調システムの他の一例として、空調システムでは、それら各空調室毎に第１空調運転または第２空調運転を所定期間個別に実施した後に強殺菌運転と弱殺菌運転とのいずれかをそれら各空調機毎に所定時間個別に実施し、それら各空調室毎に強殺菌運転または弱殺菌運転を所定時間個別に実施した後に第１空調運転と第２空調運転とのいずれかを所定期間個別に再び実施する。
【００１４】
本発明にかかる空調システムの他の一例として、強殺菌運転または弱殺菌運転では、空調機の稼働を停止して空調機から空調室への空調空気の供給を停止し、第１機能水または第２機能水を加湿機構に留めて加湿機構のみを殺菌する第１殺菌運転と、空調機の稼働を継続して空調機から空調室への空調空気の供給を継続し、第１機能水または第２機能水の成分を含む空調空気を空調室に供給して加湿機構と空調室とを殺菌する第２殺菌運転とのいずれかを実施する。
【００１５】
本発明にかかる空調システムの他の一例として、空調システムでは、第１空調運転または第２空調運転を所定期間実施した後に第１殺菌運転と第２殺菌運転とのいずれかを実施するとともに、第１殺菌運転または第２殺菌運転を所定時間実施した後に第１空調運転と第２空調運転とのいずれかを再び実施する。
【００１６】
本発明にかかる空調システムの他の一例としては、加湿機構が空調機に設置された気化式加湿エレメントからなる気化式加湿機構または空調機に設置された噴霧装置およびエリミネーターからなる噴霧式加湿機構のいずれかである。
【００１７】
本発明にかかる空調システムの他の一例としては、機能水が電解機能水、弱酸性水、塩素系水溶液、オゾン水、過酸化水素水の中から選択された少なくとも１種類である。
【００１８】
前記課題を解決するための本発明にかかる加湿および殺菌可能な空調方法は、空調室に空調空気を供給する空調機と、空調機に設置された加湿機構に加湿水を給水する加湿水供給ラインと、加湿機構を殺菌可能であって殺菌作用が強い第１機能水を加湿機構に供給する第１機能水供給ラインと、加湿機構を殺菌可能であって第１機能水よりも殺菌作用が弱い第２機能水を加湿機構に供給する第２機能水供給ラインと、第１機能水供給ラインにつながって一定量の第１機能水を貯水する第１機能水貯水タンクと、第２機能水供給ラインにつながって一定量の第２機能水を貯水する第２機能水貯水タンクと、第１機能水貯水タンクに貯水された第１機能水を加湿機構に送水する第１送水ポンプと、第２機能水貯水タンクに貯水された第２機能水を加湿機構に送水する第２送水ポンプとを備え、加湿水供給ラインから加湿機構へ加湿水を給水するとともに、加湿機構が前記空調機によって作られた空調空気を加湿し、加湿された空調空気を空調室に供給する第１空調操作と、加湿水供給ラインからの加湿機構への加湿水の給水を停止するとともに、空調機によって作られた空調空気を空調室に供給する第２空調操作と、第１および第２空調操作を停止するとともに、加湿水給水ラインからの加湿水の給水および第２機能水供給ラインからの第２機能水の給水を停止しつつ、第１機能水貯水タンクに貯水された第１機能水を第１送水ポンプを介して第１機能水供給ラインから加湿機構に供給する強殺菌操作と、第１および第２空調操作を停止するとともに、加湿水給水ラインからの加湿水の給水および第１機能水供給ラインからの第１機能水の給水を停止しつつ、第２機能水貯水タンクに貯水された第２機能水を第２送水ポンプを介して第２機能水供給ラインから加湿機構に供給する弱殺菌操作とのいずれかが実施されることを特徴とする。
【００１９】
本発明にかかる空調方法の一例としては、空調方法が空調室に設置された湿度センサを含み、空調方法では、湿度センサが計測した湿度が設定湿度に達していない場合、第１空調操作が実施され、湿度センサが計測した湿度が設定湿度に達している場合、第２空調操作が実施される。
【００２０】
本発明にかかる空調方法の他の一例としては、空調方法が、第１機能水供給ラインに設置されて第１機能水を生成しつつ第１機能水を第１機能水貯水タンクに供給する第１機能水生成装置と、第２機能水供給ラインに設置されて第２機能水を生成しつつ第２機能水を第２機能水貯水タンクに供給する第２機能水生成装置とを含み、空調方法では、第１機能水貯水タンクが第１機能水生成装置によって生成された第１機能水を貯水し、第２機能水貯水タンクが第２機能水生成装置によって生成された第２機能水を貯水し、第１機能水生成装置が第１機能水貯水タンクに略一定量の第１機能水が貯水されるように第１機能水を第１機能水貯水タンクに供給し、第２機能水生成装置が第２機能水貯水タンクに略一定量の第２機能水が貯水されるように第２機能水を第２機能水貯水タンクに供給する。
【００２１】
本発明にかかる空調方法の他の一例としては、空調機がそこにおいて発生する排水を捕集するドレンパンを備え、強殺菌操作では、第１機能水貯水タンクに貯水された第１機能水が第１機能水供給ラインからドレンパンに供給されてドレンパンに発生した菌が殺菌され、弱殺菌操作では、第２機能水貯水タンクに貯水された第２機能水が第２機能水供給ラインからドレンパンに供給されてドレンパンに発生した菌が殺菌される。
【００２２】
本発明にかかる空調方法の他の一例として、空調システムでは、第１空調操作または第２空調操作が所定期間実施された後に強殺菌操作と弱殺菌操作とのいずれかが実施され、強殺菌操作または弱殺菌操作が所定時間実施された後に第１空調操作と第２空調操作とのいずれかが再び実施され、第１空調操作または第２空調操作転が実施されてから強殺菌操作転が実施されるまでの所定期間が第１空調操作または第２空調操作が実施されてから弱殺菌操作が実施されるまでの所定期間よりも長い。
【００２３】
本発明にかかる空調方法の他の一例として、空調方法では、２室以上の空調室が存在するとともに、それら各空調室へ空調空気を供給する２つ以上の空調機が存在し、第１および第２空調操作では、それら空調機によって作られた空調空気を各空調室に供給し、強殺菌操作では、第１機能水貯水タンクに貯水された第１機能水が第１機能水供給ラインから各空調機に設置された各加湿機構に供給され、弱殺菌操作では、第２機能水貯水タンクに貯水された第２機能水が第２機能水供給ラインから各空調機に設置された各加湿機構に供給される。
【００２４】
本発明にかかる空調方法の他の一例として、空調方法では、それら各空調室毎に第１空調操作または第２空調操作が所定期間個別に実施された後に強殺菌操作と弱殺菌操作とのいずれかがそれら各空調機毎に所定時間個別に実施され、それら各空調室毎に強殺菌操作または弱殺菌操作が所定時間個別に実施された後に第１空調操作と第２空調操作とのいずれかが所定期間個別に再び実施される。
【００２５】
本発明にかかる空調方法の他の一例として、強殺菌操作または弱殺菌操作では、空調機の稼働を停止して空調機から空調室への空調空気の供給を停止し、第１機能水または第２機能水を加湿機構に留めて加湿機構のみを殺菌する第１殺菌操作と、空調機の稼働を継続して空調機から空調室への空調空気の供給を継続し、第１機能水または第２機能水の成分を含む空調空気を空調室に供給して加湿機構と空調室とを殺菌する第２殺菌操作とのいずれかが実施される。
【００２６】
本発明にかかる空調方法の他の一例として、空調方法では、第１空調操作または第２空調操作が所定期間実施された後に第１殺菌操作と第２殺菌操作とのいずれかが実施されるとともに、第１殺菌操作または第２殺菌操作が所定時間実施された後に第１空調操作と第２空調操作とのいずれかが再び実施される。
【００２７】
本発明にかかる空調方法の他の一例として、加湿機構が空調機に設置された気化式加湿エレメントからなる気化式加湿機構または空調機に設置された噴霧装置およびエリミネーターからなる噴霧式加湿機構のいずれかである。
【００２８】
本発明にかかる空調方法の他の一例としては、機能水が電解機能水、弱酸性水、塩素系水溶液、オゾン水、過酸化水素水の中から選択された少なくとも１種類である。
【発明の効果】
【００２９】
本発明にかかる加湿および殺菌可能な空調システムおよび空調方法によれば、湿度が不足している場合、加湿機構が空調機によって作られた空調空気を加湿する第１空調運転（第１空調操作）を実施し、湿度が足りている場合、空調機によって作られた空調空気を加湿することなく空調室に供給する第２空調運転（第２空調操作）を実施するから、空調室の湿度を最適に保持しつつ空調空気を空調機から空調室に供給することができ、加湿機構に発生（繁殖）した菌を殺菌する場合、第１および第２空調運転（第１および第２空調操作）を停止して加湿機構を殺菌する強殺菌運転（強殺菌操作）または弱殺菌運転（弱殺菌操作）を実施するから、加湿機構を清潔な状態にすることができる。空調システムおよび空調方法は、加湿水を利用して空調空気を加湿し、適度な湿度を有する空調空気を空調室に供給することができるのみならず、空調機の加湿機構の殺菌が必要な場合に第１機能水または第２機能水を利用して加湿機構を殺菌することができ、加湿機構を清潔な状態で利用することができる。空調システムおよび空調方法は、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。空調システムおよび空調方法は、殺菌作用（殺菌効果）の異なる第１機能水または第２機能水を各機能水供給ラインから供給する強殺菌運転（強殺菌操作）または弱殺菌運転（弱殺菌操作）を実施することで、多量の菌が発生した加湿機構を強い殺菌効果を有する第１機能水によって殺菌することができるとともに、菌の発生が少ない加湿機構を弱い殺菌効果を有する第２機能水によって殺菌することができる。なお、機能水供給ラインや加湿機構の耐薬品性にもよるが、強い殺菌効果を有する第１機能水を常時使用すると、その抗菌作用によって機能水供給ラインや加湿機構が痛む原因になるが、弱い殺菌効果を有する第２機能水を適宜使用することによって機能水供給ラインや加湿機構の痛みを防ぐことができる。
【００３０】
空調室に設置された湿度センサを含み、湿度センサが計測した湿度が設定湿度に達していない場合、第１空調運転（第１空調操作）を実施し、湿度センサが計測した湿度が設定湿度に達している場合、第２空調運転（第２空調操作）を実施する空調システムおよび空調方法は、湿度センサが計測した湿度が設定湿度に達していない場合、加湿機構が空調機によって作られた空調空気を加湿する第１空調運転（第１空調操作）を実施し、湿度センサが計測した湿度が設定湿度に達している場合、空調機によって作られた空調空気を加湿することなく空調室に供給する第２空調運転（第２空調操作）を実施するから、適度な湿度を有する空調空気を空調機から空調室に供給することができ、加湿機構に発生（繁殖）した菌を殺菌する場合、第１および第２空調運転（第１および第２空調操作）を停止して加湿機構を殺菌する強殺菌運転（強殺菌操作）または弱殺菌運転（弱殺菌操作）を実施するから、加湿機構を清潔な状態にすることができる。空調システムおよび空調方法は、加湿水を利用して空調空気を加湿し、適度な湿度を有する空調空気を空調室に供給することができるのみならず、空調機の加湿機構の殺菌が必要な場合に第１機能水または第２機能水を利用して加湿機構を殺菌することができ、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。
【００３１】
第１機能水を生成しつつ第１機能水を第１機能水貯水タンクに供給する第１機能水生成装置と第２機能水を生成しつつ第２機能水を第２機能水貯水タンクに供給する第２機能水生成装置とを含み、第１機能水生成装置が第１機能水貯水タンクに略一定量の第１機能水が貯水されるように第１機能水を第１機能水貯水タンクに供給し、第２機能水生成装置が第２機能水貯水タンクに略一定量の第２機能水が貯水されるように第２機能水を第２機能水貯水タンクに供給する空調システムおよび空調方法は、第１機能水が第１機能水生成装置から第１機能水貯水タンクに供給され、略一定量の第１機能水が第１機能水貯水タンクに常時貯水され、第２機能水が第２機能水生成装置から第２機能水貯水タンクに供給され、略一定量の第２機能水が第２機能水貯水タンクに常時貯水されるから、各機能水貯水タンクにおいて機能水が枯渇することはなく、第１機能水や第２機能水が枯渇することによる強殺菌運転（強殺菌操作）または弱殺菌運転（弱殺菌操作）の実施不能を防ぐことができる。空調システムおよび空調方法は、空調機の加湿機構の殺菌が必要な場合に第１機能水または第２機能水を利用して加湿機構を確実に殺菌することができ、加湿機構を清潔な状態で利用することができるから、加湿機構から空調空気に菌や悪臭が混入することはなく、加湿されて適度な湿度を有する清潔な空調空気や加湿されずに適度な湿度を有する清潔な空調空気を空調室に供給することができる。
【００３２】
空調機がそこにおいて発生する排水を捕集するドレンパンを有し、強殺菌運転において、第１機能水貯水タンクに貯水された第１機能水を第１機能水供給ラインからドレンパンに供給してドレンパンに発生した菌を殺菌し、弱殺菌運転において、第２機能水貯水タンクに貯水された第２機能水を第２機能水供給ラインからドレンパンに供給してドレンパンに発生した菌を殺菌する空調システムおよび空調方法は、空調機のドレンパンの殺菌が必要な場合に第１機能水または第２機能水を利用してドレンパンを殺菌することができ、ドレンパンを清潔な状態で利用することができる。空調システムおよび空調方法は、加湿機構のみならずドレンパンを清潔な状態で利用することができるから、ドレンパンから空調空気に菌や悪臭が混入することはなく、加湿されて適度な湿度を有する清潔な空調空気や加湿されずに適度な湿度を有する清潔な空調空気を空調室に供給することができる。空調システムおよび空調方法は、殺菌作用（殺菌効果）の異なる第１機能水または第２機能水を各機能水供給ラインから供給することで、多量の菌が発生したドレンパンを強い殺菌効果を有する第１機能水によって殺菌することができるとともに、菌の発生が少ないドレンパンを弱い殺菌効果を有する第２機能水によって殺菌することができる。なお、ドレンパンの耐薬品性にもよるが、強い殺菌効果を有する第１機能水を常時使用すると、その抗菌作用によってドレンパンが痛む原因になるが、弱い殺菌効果を有する第２機能水を適宜使用することによってドレンパンの痛みを防ぐことができる。
【００３３】
第１空調運転（第１空調操作）または第２空調運転（第２空調操作）を所定期間実施した後に強殺菌運転（強殺菌操作）と弱殺菌運転（弱殺菌操作）とのいずれかを実施し、強殺菌運転（強殺菌操作）または弱殺菌運転（弱殺菌操作）を所定時間実施した後に第１空調運転（第１空調操作）と第２空調運転（第２空調操作）とのいずれかを再び実施し、第１空調運転（第１空調操作）または第２空調運転（第２空調操作）を実施してから強殺菌運転（強殺菌操作）を実施するまでの所定期間が第１空調運転（第１空調操作）または第２空調運転（第２空調操作）を実施してから弱殺菌運転（弱殺菌操作）を実施するまでの所定期間よりも長い空調システムおよび空調方法は、第１および第２空調運転（第１および第２空調操作）を所定期間実施すると、空調機の加湿機構（ドレンパンを含む）に菌が繁殖する場合があるが、第１および第２空調運転（第１および第２空調操作）を所定期間実施した後に強殺菌運転（強殺菌操作）または弱殺菌運転（弱殺菌操作）を実施するから、加湿機構やドレンパンに菌が繁殖したとしても、その菌を殺菌することができ、加湿機構やドレンパンを清潔な状態で利用することができる。空調システムおよび空調方法は、空調機の加湿機構やドレンパンに菌が繁殖したとしても、第１機能水または第２機能水を利用して加湿機構やドレンパンを確実に殺菌することができ、加湿機構やドレンパンを清潔な状態で利用することができるから、加湿機構やドレンパンから空調空気に菌や悪臭が混入することはなく、加湿されて適度な湿度を有する清潔な空調空気や加湿されずに適度な湿度を有する清潔な空調空気を空調室に供給することができる。空調システムおよび空調方法は、強い殺菌効果を有する第１機能水を頻繁に使用すると、第１機能水の抗菌作用によって機能水供給ラインや加湿機構（ドレンパンを含む）が痛む原因になるが、第１空調運転または第２空調運転（第１空調操作または第２空調操作）を実施してから強殺菌運転（強殺菌操作）を実施するまでの所定期間が第１空調運転または第２空調運転（第１空調操作または第２空調操作）を実施してから弱殺菌運転（弱殺菌操作）を実施するまでの所定期間よりも長いから、強殺菌運転（強殺菌操作）が頻繁に行われることはなく、弱い殺菌効果を有する第２機能水を適宜使用することによって機能水供給ラインや加湿機構（ドレンパンを含む）の痛みを防ぐことができる。
【００３４】
２室以上の空調室が存在するとともに、それら各空調室へ空調空気を供給する２つ以上の空調機が存在し、第１および第２空調運転（第１および第２空調操作）において、それら空調機によって作られた空調空気を各空調室に供給し、強殺菌運転（強殺菌操作）において、第１機能水貯水タンクに貯水された第１機能水を第１機能水供給ラインから各空調機に設置された各加湿機構に供給し、弱殺菌運転（弱殺菌操作）において、第２機能水貯水タンクに貯水された第２機能水を第２機能水供給ラインから各空調機に設置された各加湿機構に供給する空調システムおよび空調方法は、湿度が不足している場合、各加湿機構が各空調機によって作られた空調空気を加湿する第１空調運転（第１空調工程）を実施し、湿度が足りている場合、各空調機によって作られた空調空気を加湿することなく各空調室に供給する第２空調運転（第２空調操作）を実施するから、各空調室の湿度を最適に保持しつつ空調空気を各空調機から各空調室に供給することができ、それら加湿機構に発生（繁殖）した菌を殺菌する場合、第１および第２空調運転（第１および第２空調操作）を停止して各加湿機構を殺菌する強殺菌運転（強殺菌操作）または弱殺菌運転（弱殺菌操作）を実施するから、それら加湿機構を清潔な状態にすることができる。空調システムおよび空調方法は、加湿水を利用して空調空気を加湿し、適度な湿度を有する空調空気を各空調室に供給することができるのみならず、それら空調機の加湿機構の殺菌が必要な場合に第１機能水または第２機能水を利用して各加湿機構を同時にまたは個別に殺菌することができ、各加湿機構を清潔な状態で利用することができる。空調システムおよび空調方法は、それら加湿機構を清潔な状態で利用することができるから、各加湿機構から空調空気に菌や悪臭が混入することはなく、加湿されて適度な湿度を有する清潔な空調空気や加湿されずに適度な湿度を有する清潔な空調空気を各空調室に供給することができる。空調システムおよび空調方法は、殺菌作用（殺菌効果）の異なる第１機能水または第２機能水を各機能水供給ラインから供給することで、多量の菌が発生した各加湿機構（各ドレンパンを含む）を強い殺菌効果を有する第１機能水によって殺菌することができるとともに、菌の発生が少ない各加湿機構（各ドレンパンを含む）を弱い殺菌効果を有する第２機能水によって殺菌することができる。
【００３５】
それら各空調室毎に第１空調運転（第１空調操作）または第２空調運転（第２空調操作）を所定期間個別に実施した後に強殺菌運転（強殺菌操作）と弱殺菌運転（弱殺菌操作）とのいずれかをそれら各空調機毎に所定時間個別に実施し、それら各空調室毎に強殺菌運転（強殺菌操作）または弱殺菌運転（弱殺菌操作）を所定時間個別に実施した後に第１空調運転（第１空調操作）と第２空調運転（第２空調操作）とのいずれかを所定期間個別に再び実施する空調システムおよび空調方法は、第１空調運転（第１空調操作）または第２空調運転（第２空調操作）を所定期間実施すると、各空調機の加湿機構に菌が繁殖する場合があるが、第１空調運転（第１空調操作）または第２空調運転（第２空調操作）を所定期間実施した後、各空調機毎に強殺菌運転（強殺菌操作）または弱殺菌運転（弱殺菌操作）を実施するから、各加湿機構（各ドレンパンを含む）に菌が繁殖したとしても、その菌を殺菌することができ、各加湿機構（各ドレンパンを含む）を清潔な状態で利用することができる。空調システムおよび空調方法は、それら空調機の加湿機構（ドレンパンを含む）に菌が繁殖したとしても、第１機能水または第２機能水を利用して各加湿機構（各ドレンパンを含む）を確実に殺菌することができ、各加湿機構（各ドレンパンを含む）を清潔な状態で利用することができるから、それら加湿機構から空調空気に菌や悪臭が混入することはなく、加湿されて適度な湿度を有する清潔な空調空気や加湿されずに適度な湿度を有する清潔な空調空気を各空調室に供給することができる。空調システムおよび空調方法は、殺菌作用（殺菌効果）の異なる第１機能水または第２機能水を各機能水供給ラインから供給することで、多量の菌が発生した各加湿機構（各ドレンパンを含む）を強い殺菌効果を有する第１機能水によって殺菌することができるとともに、菌の発生が少ない各加湿機構（各ドレンパンを含む）を弱い殺菌効果を有する第２機能水によって殺菌することができる。
【００３６】
強殺菌運転（強殺菌操作）または弱殺菌運転（弱強殺菌操作）において、空調機の稼働を停止して空調機から空調室への空調空気の供給を停止し、第１機能水または第２機能水を加湿機構に留めて加湿機構のみを殺菌する第１殺菌運転（第１殺菌操作）と、空調機の稼働を継続して空調機から空調室への空調空気の供給を継続し、第１機能水または第２機能水の成分を含む空調空気を空調室に供給して加湿機構と空調室とを殺菌する第２殺菌運転（第２殺菌操作）とのいずれかを実施する空調システムおよび空調方法は、空調機の稼働を停止して空調機から空調室への空調空気の供給を停止し、機能水を加湿機構に留めて加湿機構のみを殺菌する第１殺菌運転（第１殺菌操作）を実施する場合、第１殺菌運転（第１殺菌操作）において空調機の運転を停止させることで、加湿機構に第１機能水または第２機能水を留めることができ、空調機の加湿機構に菌が繁殖したとしても、第１機能水または第２機能水を利用して加湿機構を確実に殺菌することができるとともに、第１機能水または第２機能水の成分を含んだ空調空気が空調室に供給されることはなく、それら機能水の臭気の空調室への充満を防ぐことができる。空調システムおよび空調方法は、空調機の稼働を継続して空調機から空調室への空調空気の供給を継続し、第１機能水または第２機能水の成分を含む空調空気を空調室に供給して加湿機構と空調室とを殺菌する第２殺菌運転（第２殺菌操作）を実施する場合、第１機能水または第２機能水の成分を含んだ空調空気が空調室に供給され、それら機能水の殺菌作用（殺菌効果）によって空調室の空気が殺菌されるから、加湿機構を殺菌することができるのみならず、空調室も殺菌することができ、加湿機構を清潔な状態で利用することができるとともに、空調室を清潔な状態で利用することができる。
【００３７】
第１空調運転（第１空調操作）または第２空調運転（第２空調操作）を所定時間実施した後に第１殺菌運転（第１殺菌操作）と第２殺菌運転（第２殺菌操作）とのいずれかを実施するとともに、第１殺菌運転（第１殺菌操作）または第２殺菌運転（第２殺菌操作）を所定時間実施した後に第１空調運転（第１空調操作）と第２空調運転（第２空調操作）とのいずれかを再び実施する空調システムおよび空調方法は、第１空調運転または第２空調運転（第１空調操作または第２空調操作）を所定期間実施すると、各空調機の加湿機構（ドレンパンを含む）に菌が繁殖する場合があるが、第１空調運転または第２空調運転（第１空調操作または第２空調操作）を所定期間実施した後、強殺菌運転（強殺菌操作）または弱殺菌運転（弱殺菌操作）を実施するから、加湿機構（ドレンパンを含む）に菌が繁殖したとしても、その菌を殺菌することができ、加湿機構（ドレンパンを含む）を清潔な状態で利用することができる。空調システムおよび空調方法は、それら空調機の加湿機構（ドレンパンを含む）に菌が繁殖したとしても、第１機能水または第２機能水を利用して加湿機構（ドレンパンを含む）を確実に殺菌することができ、加湿機構（ドレンパンを含む）を清潔な状態で利用することができるから、加湿機構（ドレンパンを含む）から空調空気に菌や悪臭が混入することはなく、加湿されて適度な湿度を有する清潔な空調空気や加湿されずに適度な湿度を有する清潔な空調空気を各空調室に供給することができる。空調システムおよび空調方法は、空調機の稼働を継続して空調機から空調室への空調空気の供給を継続し、機能水の成分を含む空調空気を空調室に供給して加湿機構（ドレンパンを含む）と空調室とを殺菌する第２殺菌運転（第２殺菌操作）を実施する場合、第１機能水または第２機能水の成分を含んだ空調空気が空調室に供給され、それら機能水の殺菌作用（殺菌効果）によって空調室の空気が殺菌されるから、加湿機構（ドレンパンを含む）を殺菌することができるのみならず、空調室も殺菌することができ、加湿機構（ドレンパンを含む）を清潔な状態で利用することができるとともに、空調室を清潔な状態で利用することができる。
【００３８】
加湿機構が空調機に設置された気化式加湿エレメントからなる気化式加湿機構または空調機に設置された噴霧装置およびエリミネーターからなる噴霧式加湿機構のいずれかである空調システムおよび空調方法は、加湿機構が気化式加湿エレメントからなる気化式加湿機構または空調機に設置された噴霧装置およびエリミネーターからなる噴霧式加湿機構のいずれかであったとしても、第１機能水または第２機能水を利用して気化式加湿機構または噴霧式加湿機構に発生した菌を確実に殺菌することができ、気化式加湿機構または噴霧式加湿機構を清潔な状態で利用することができるから、それら加湿機構から空調空気に菌が混入することはなく、加湿されて適度な湿度を有する清潔な空調空気や加湿されずに適度な湿度を有する清潔な空調空気を各空調室に供給することができる。
【００３９】
機能水が電解機能水、弱酸性水、塩素系水溶液、オゾン水、過酸化水素水の中から選択された少なくとも１種類である空調システムおよび空調方法は、空調機の加湿機構（ドレンパンを含む）に菌が繁殖したとしても、それら機能水を利用して加湿機構（ドレンパンを含む）を確実に殺菌することができ、加湿機構（ドレンパンを含む）を清潔な状態で利用することができるから、加湿機構（ドレンパンを含む）から空調空気に菌や悪臭が混入することはなく、加湿されて適度な湿度を有する清潔な空調空気や加湿されずに適度な湿度を有する清潔な空調空気を空調室に供給することができる。
【図面の簡単な説明】
【００４０】
【図１】一例として示す空調システムの構成図。
【図２】タイムスケジュールの一例を示す図。
【図３】空調システム（空調方法）における第１空調運転（第１空調操作）を説明する図。
【図４】空調システム（空調方法）における弱殺菌運転（弱殺菌操作）の一例を説明する図。
【図５】空調システム（空調方法）における強殺菌運転（強殺菌操作）の一例を説明する図。
【図６】他の一例として示す空調システムの構成図。
【図７】空調システム（空調方法）における第１空調運転（第１空調操作）を説明する図。
【図８】空調システム（空調方法）における弱殺菌運転（弱殺菌操作）の一例を説明する図。
【図９】空調システム（空調方法）における強殺菌運転（強殺菌操作）の一例を説明する図。
【図１０】図６とは異なる空調システムの構成図。
【図１１】他の一例として示す空調システムの構成図。
【発明を実施するための形態】
【００４１】
一例として示す空調システム１０Ａの構成図である図１等の添付の図面を参照し、本発明にかかる加湿可能かつ殺菌可能な空調システムおよび空調方法の詳細を説明すると、以下のとおりである。なお、図２は、タイムスケジュールの一例を示す図であり、図３は、空調システム１０Ａ（空調方法）における第１空調運転（第１空調操作）を説明する図である。
【００４２】
空調システム１０Ａ（空調方法）は、所定容積を有する空調室１１と、空気を空調する空調機１２と、加湿水供給ライン１３と、第１および第２機能水供給ライン１４，１５と、コントローラ１６（制御装置）と、湿度センサ１７とから形成されている。なお、図１のシステム１０Ａでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。
【００４３】
空調室１１には、クリーンルームや病室、実験室等を例示することができるが、空調室１１はそれらに限定されず、あらゆる種類の室（ホールや劇場、体育館、工場等を含む）に適用することができる。空調室１は、天井および床と前後壁および側壁とに囲繞された所定容積の空調空間を有し、天井、床、それら壁によって室外と仕切られている。天井には、空調空気を空調室１１に取り入れるための給気口（図示せず）が施設されている。側壁には、空調室１１の空気を排気するための排気口（図示せず）が施設されている。
【００４４】
湿度センサ１７は、空調室１１の内部に設置されている。湿度センサ１７は、インターフェイス１８を介してコントローラ１６に接続されている。湿度センサ１７は、空調室１１の内部の湿度を計測し、計測した測定湿度をコントローラ１６に送信する。空調室１１の内部の設定湿度や設定温度は、コントローラ１６に送信される。
【００４５】
空調機１２は、空調室１１に気化式加湿（滴下式加湿）によって加湿された空調空気または加湿されない空調空気を供給する。空調機１２は、空調室１１の室外に設置されているが、室内に設置される場合もある。空調機１２は、ハウジング１９と、冷却コイル２０および加熱コイル２１と、気化式加湿エレメント２２（加湿機構）および送風機２３（ファン）と、ドレンパン２４と、制御部（図示せず）とから形成されている。空調機１２の制御部は、インターフェイス１８を介してコントローラ１６に接続されている。
【００４６】
空調機１２には、外気を取り入れるダクト２５が連結されている。空調機１２は、給気ダクト２６を介して空調室１１に連結されている。ハウジング１９には、図示はしていないが、空気流入口と空気流出口とが形成されている。空調機１２では、空気流入口から空気流出口に向かって、冷却コイル２０、加熱コイル２１、気化式加湿エレメント２２、送風機２３の順で並んでいる。冷却コイル２０は、空調機１２の内部に設置され、空気を冷却および除湿して空調空気を作る。加熱コイル２１は、空調機１２の内部に設置され、空気を加熱して空調空気を作る。空調機１２では、コントローラ１６は、送信された設定温度にしたがい、冷却コイル２０または加熱コイル２１に熱媒を流し、空調室１１の温度や湿度をコントロールする。
【００４７】
気化式加湿エレメント２２には、ポリエステル樹脂繊維やフェノール樹脂繊維、無機繊維等から作られた既存のそれが使用されている。気化式加湿エレメント２２は、上端部２７と、ドレンパン２４に対向する下端部２９と、上下端部２７，２９の間に位置する中間部２８とを有し、上下方向へ長く延びている。気化式加湿エレメント２２は、加湿水供給ライン１３や第１および第２機能水供給ライン１４，１５から給水される加湿水や機能水を保水し、加湿水や機能水のうちの余剰分をドレンパン２４に排水する。
【００４８】
機能水には、食塩水や塩酸等の塩化物を含んだ水溶液を電気分解して生成される次亜塩素酸を含む電解機能水であって、ｐＨ２．７以下で有効塩素濃度が２０〜６０ｍｇ／Ｌである強酸性電解水、ｐＨ２．７〜５．０で有効塩素濃度が１０〜６０ｍｇ／Ｌである弱酸性電解水、ｐＨ５．０〜６．５で有効塩素濃度が１０〜３０ｍｇ／Ｌまたは５０〜８０ｍｇ／Ｌの微酸性電解水、ｐＨ７．５以上の電解次亜水、塩化物が溶け込んだ水溶液を有効塩素濃度が数ｍｇ／Ｌ〜数百ｍｇ／Ｌ程度に稀釈した殺菌能力を有する塩素系水溶液、オゾンを水に溶け込ませたオゾン水、過酸化水素水の中から選択された少なくとも１種類が使用される。
【００４９】
送風機２３は、空調機１２の内部に空気を強制的に流入させ、空調空気を空調機１２の内部から外部に強制的に流出させる。送風機２３は、その稼働中における風量（風速）が設定されている。ドレンパン２４は、冷却コイル２０から滴下する水滴を捕集するとともに、気化式加湿エレメント２２の下端部２９から排水された加湿水や機能水を捕集し、それら水を排水溝に排水する。
【００５０】
ダクト２５は、その先端部が空調機１２の空気流入口に連結されている。給気ダクト２６は、その基端部が空調機１２の空気流出口に連結され、その先端部が空調室１１の天井に施設された給気口に連結されている。給気ダクト２６は、空調機１２によって作られた空調空気を空調室１１に供給する。
【００５１】
加湿水供給ライン１３は、第１加湿水用電磁弁３０および第２加湿水用電磁弁３１と、チャッキ弁３２と、加湿水用給水管３３とから形成されている。加湿水供給ライン１３は、必要に応じて気化式加湿エレメント２２に加湿水（水道水）を給水する。加湿水用給水管３３の基端部は、図示はしていないが、水源配管に連結されている。加湿水用給水管３３の先端部は、気化式加湿エレメント２２の上端部２７に連結されている。加湿水供給ライン１３では、加湿水用給水管３３の基端部から先端部に向かって加湿水用第１電磁弁３０、チャッキ弁３２、加湿水用第２電磁弁３１の順に並んでいる。
【００５２】
加湿水用第１電磁弁３０は、加湿水用給水管３３に取り付けられ、その制御部がインターフェイス１８を介してコントローラ１６に接続されている。チャッキ弁３２は、加湿水用給水管３３に取り付けられ、加湿水の逆流を防止する。加湿水用第２電磁弁３１は、加湿水用給水管３３に取り付けられ、その制御部がインターフェイス１８を介してコントローラ１６に接続されている。
【００５３】
第１機能水供給ライン１４は、第１機能水生成装置３４と、第１機能水貯水タンク３５（第１バッファタンク）と、第１送水ポンプ３６と、チャッキ弁３７と、機能水用第１供給管３８とから形成されている。第１機能水供給ライン１４は、気化式加湿エレメント２２に第１機能水を供給する。機能水用第１供給管３８の基端部は、第１機能水生成装置３４に連結されている。機能水用第１供給管３８は、後記する機能水用第２供給管４４と合流し、その先端部が気化式加湿エレメント２２の上端部２７に連結されている。第１機能水供給ライン１４では、機能水用第１供給管３８の基端部から先端部に向かって、第１機能水生成装置３４、第１機能水貯水タンク３５、第１機能水送水ポンプ３６、チャッキ弁３７の順に並んでいる。
【００５４】
第１機能水生成装置３４は、必要に応じて第１機能水を生成し、生成した第１機能水を第１貯水タンク３５に供給する。第１機能水には、たとえば、次亜塩素酸を含む電解機能水であって前述したｐＨ２．７以下で有効塩素濃度が２０〜６０ｍｇ／Ｌである強酸性電解水を使用することができる。したがって、第１機能水は、その殺菌作用（殺菌効果）が強い。
【００５５】
第１機能水貯水タンク３５は、機能水用第１供給管３８に取り付けられ、第１機能水を貯水する。第１機能水貯水タンク３５には、第１水位センサ３９（水位計）が設置されている。第１水位センサ３９は、インターフェイス１８を介して第１機能水生成装置３４に接続されている。第１水位センサ３９は、第１機能水貯水タンク３５に貯水された第１機能水の水位を計測し、計測した実測水位を第１機能水生成装置３４に送信する。第１送水ポンプ３６は、機能水用第１供給管３８に取り付けられ、インターフェイス１８を介してコントローラ１６に接続されている。チャッキ弁３７は、機能水用第１供給管３８に取り付けられ、第１機能水の逆流を防止する。
【００５６】
第１機能水生成装置３４の制御部には、あらかじめ設定された設定水位が格納されている。第１機能水生成装置３４の制御部は、第１水位センサ３９から送信された実測水位と設定水位とを比較し、実測水位が設定水位未満になると、第１機能水を生成しつつ、生成した第１機能水を第１機能水貯水タンク３５に供給する。したがって、第１機能水生成装置３４は、第１機能水貯水タンク３５に貯水された第１機能水の水位を監視し、第１機能水貯水タンク３５に略一定量の第１機能水が常時貯水されるように、第１機能水を機能水貯水タンク３５に供給する。なお、実測水位が設定水位になると、第１機能水の生成・供給を停止する。
【００５７】
第２機能水供給ライン１５は、第２機能水生成装置４０と、第２機能水貯水タンク４１（第２バッファタンク）と、第２送水ポンプ４２と、チャッキ弁４３と、機能水用第２供給管４４とから形成されている。第２機能水供給ライン１５は、気化式加湿エレメント２２に第２機能水を供給する。機能水用第２供給管４４の基端部は、第２機能水生成装置４０に連結されている。機能水用第２供給管４４は、機能水用第１供給管３８と合流し、その先端部が気化式加湿エレメント２２の上端部２７に連結されている。第２機能水供給ライン１５では、機能水用第２供給管４４の基端部から先端部に向かって、第２機能水生成装置４０、第２機能水貯水タンク４１、第２機能水送水ポンプ４２、チャッキ弁４３の順に並んでいる。
【００５８】
機能水用第２供給管４４の先端部（機能水用第１供給管３８の先端部）には、ドレンパン２４に機能水を供給するドレンパン用機能水供給管５２が連結されている。供給管５２には、仕切弁５３が設置されている。仕切弁５３は、その弁機構が通常開状態に保持されているが、ドレンパン２４に機能水を供給しない場合はその弁機構が閉鎖される。第２機能水生成装置４０は、必要に応じて第２機能水を生成し、生成した第２機能水を第２貯水タンク４１に供給する。第２機能水には、たとえば、次亜塩素酸を含む電解機能水であって前述したｐＨ２．７〜５．０で有効塩素濃度が１０〜６０ｍｇ／Ｌである弱酸性電解水を使用することができる。したがって、第２機能水は、その殺菌作用（殺菌効果）が第１機能水のそれよりも弱い。
【００５９】
第２機能水貯水タンク４１は、機能水用第２供給管４４に取り付けられ、第２機能水を貯水する。第２機能水貯水タンク４１には、第２水位センサ４５（水位計）が設置されている。第２水位センサ４５は、インターフェイス１８を介して第２機能水生成装置４０に接続されている。第２水位センサ４５は、第２機能水貯水タンク４１に貯水された第２機能水の水位を計測し、計測した実測水位を第２機能水生成装置４０に送信する。第２送水ポンプ４２は、機能水用第２供給管４４に取り付けられ、インターフェイス１８を介してコントローラ１６に接続されている。チャッキ弁４３は、機能水用第２供給管４４に取り付けられ、第２機能水の逆流を防止する。
【００６０】
第２機能水生成装置４０の制御部には、あらかじめ設定された設定水位が格納されている。第２機能水生成装置４０の制御部は、第２水位センサ４５から送信された実測水位と設定水位とを比較し、実測水位が設定水位未満になると、第２機能水を生成しつつ、生成した第２機能水を第２機能水貯水タンク４１に供給する。したがって、第２機能水生成装置４０は、第２機能水貯水タンク４１に貯水された第２機能水の水位を監視し、第２機能水貯水タンク４１に略一定量の第２機能水が常時貯水されるように、第２機能水を機能水貯水タンク４１に供給する。なお、実測水位が設定水位になると、第２機能水の生成・供給を停止する。
【００６１】
コントローラ１６は、中央処理部（ＣＰＵまたはＭＰＵ）とメモリ（主記憶部）とを有するマイクロコンピュータであり、データ記憶装置が内蔵されている。コントローラ１６には、テンキーユニット（図示せず）やディスプレイ（図示せず）等の入出力装置がインターフェイスを介して接続されている。コントローラ１６の中央処理部は、オペレーティングシステムによる制御に基づいて、メモリからアプリケーションを起動し、起動したアプリケーションに従って、後記する各運転（操作）を実施する。コントローラ１６の中央処理部は、空調機１２の停止（ＯＦＦ）または稼働（ＯＮ）を行う。
【００６２】
コントローラ１６のデータ記憶装置には、空調室１１の設定湿度や設定温度が格納されているとともに、図２に示すタイムスケジュールが格納されている。タイムスケジュールには、第１送水ポンプ３６の稼働時間（稼働期間）および停止時間（停止期間）、第２送水ポンプ４２の稼働時間（稼働期間）および停止時間（停止期間）がある。タイムスケジュールは、テンキーユニットを介して自由に設定することができる。
【００６３】
第１送水ポンプ３６の停止時間（停止期間）は、たとえば、１ヶ月、２ヶ月等の時間（期間）が設定され、第１送水ポンプ３６の稼働時間は、たとえば、１５分、３０分、１時間等が設定される。第２送水ポンプ４２の停止時間（停止期間）は、第１送水ポンプ３６のそれよりも短く、たとえば、１日、１週間等の時間（期間）が設定され、第２送水ポンプ４２の稼働時間は、たとえば、１５分、３０分、１時間等が設定される。第１および第２送水ポンプ３６，４２の稼働時間が停止時間に比べて短いのは、菌の殺菌に長い時間が必要ないからである。
【００６４】
図３に基づいて空調システム１０Ａ（空調方法）における第１空調運転（第１空調操作）を説明すると、以下のとおりである。なお、第１送水ポンプ３６の停止時間（停止期間）が１ヶ月に設定されているとともに、第２送水ポンプ４２の停止時間（停止期間）が１週間に設定されているものとする。また、第１および第２送水ポンプ３６，４２の稼働時間が３０分に設定されているものとする。なお、図２のタイムスケジュールに示すように、第１送水ポンプ３６が稼働する場合、第２送水ポンプ４２の停止時間が第１送水ポンプ３６の稼働から１週間延長される。第１機能水貯水タンク３５に第１機能水が貯水され、第２機能水貯水タンク４１に第２機能水が貯水されているものとする。
【００６５】
空調システム１０Ａ（空調方法）では、第２送水ポンプ４２の停止時間（１週間）が経過すると、第２機能水供給ライン１５による弱殺菌運転（弱殺菌操作）が行われる。空調システム１０Ａ（空調方法）では、第２送水ポンプ４２の稼働時間（３０分）が経過すると、加湿水供給ライン１３による第１空調運転（第１空調操作）または第２空調運転（第２空調操作）が行われる。空調システム１０Ａ（空調方法）では、第１送水ポンプ３６の停止時間（１ヶ月）が経過すると、第１機能水供給ライン１４による強殺菌運転（強殺菌操作）が行われる。空調システム１０Ａ（空調方法）では、第１送水ポンプ３６の稼働時間（３０分）が経過すると、加湿水供給ライン１３による第１空調運転（第１空調操作）または第２空調運転（第２空調操作）が行われる。
【００６６】
コントローラ１６は、第１および第２送水ポンプ３６，４２の停止時間（停止期間）にあるかを判断する。第１および第２送水ポンプ３６，４２の停止時間にある場合であって、湿度センサ１７が計測した測定湿度が設定湿度に達していない場合、空調システム１０Ａ（空調方法）では、第１空調運転（第１空調操作）を実施する。第１空調運転（第１空調操作）では、空調室１１の設定温度がコントローラ１６から空調機１２の制御部に送信され、空調室１２の温度が設定温度になるように、空調機１２の制御部が冷却コイル２０または加熱コイル２１を調節する。さらに、加湿水供給ライン１３が加湿エレメント２２へ加湿水を給水するとともに、加湿エレメント２２が空調空気を加湿する。
【００６７】
第１空調運転（第１空調操作）では、第１および第２機能水供給ライン１４，１５から機能水は供給されない。第１空調運転（第１空調操作）においてコントローラ１６は、第１および第２送水ポンプ３６，４２の停止時間（停止期間）にあると判断し、第１および第２送水ポンプ３６，４２に停止指令を送信する。第１および第２送水ポンプ３６，４２は、コントローラ１６から送信された停止指令にしたがってその電源がＯＦＦとなり、停止状態を保持する。また、コントローラ１６は、加湿水用第１電磁弁３０の弁機構を開放した状態に保持する。
【００６８】
第１空調運転（第１空調操作）において、湿度センサ１７から測定湿度がコントローラ１６に送信されている。コントローラ１６は、湿度センサ１７が計測した測定湿度と設定湿度とを比較し、測定湿度が設定湿度に達していないと判断すると、加湿水用第２電磁弁３１に開放指令を送信する。加湿水用第２電磁弁３１は、コントローラ１６から送信された開放指令にしたがってその弁機構を開放する。なお、測定湿度が設定湿度に達していない間、加湿水用第２電磁弁３１の弁機構の開放が継続される。
【００６９】
第１空調運転（第１空調操作）では、加湿水用第２電磁弁３１の弁機構が開放され、図３に矢印Ｌ１で示すように、加湿水（水道水）が加湿水用給水管３３を通って加湿エレメント２２の上端部２７からエレメント２２全域に給水される。加湿エレメント２２では、加湿水を保水し、余剰分をドレンパン２４に排水する。空調機１２によって作られた空調空気は、加湿水を保水した加湿エレメント２２を通過しつつ、加湿水と接触し、加湿された空調空気となる。加湿された空調空気は、図３に矢印Ｌ２で示すように、給気ダクト２６から空調室１１に供給される。なお、測定湿度が設定湿度に達するまで第１空調運転（第１空調操作）が実施される。
【００７０】
次に、空調システム１０Ａ（空調方法）における第２空調運転（第２空調操作）を説明すると、以下のとおりである。コントローラ１６は、第１および第２送水ポンプ３６，４２の停止時間（停止期間）にあるかを判断する。第１および第２送水ポンプ３６，４２の停止時間にある場合であって、湿度センサ１７が計測した測定湿度が設定湿度に達している場合（第１空調運転（第１空調操作）を実施した後、測定湿度が設定湿度に達した場合を含む）、空調システム１０Ａ（空調方法）では、第２空調運転（第２空調操作）を実施する。
【００７１】
第２空調運転（第２空調操作）では、空調室１１の温度がコントローラ１６から送信された設定温度になるように、空調機１２が冷却コイル２０または加熱コイル２１を調節する。さらに、加湿水供給ライン１３から加湿エレメント２２への加湿水の給水が停止されるとともに、空調機１２によって作られた空調空気が空調室１１に供給される。
【００７２】
第２空調運転（第２空調操作）において、湿度センサ１７から測定湿度がコントローラ１６に送信されている。コントローラ１６は、湿度センサ１７が計測した測定湿度と設定湿度とを比較し、測定湿度が設定湿度に達したと判断すると、加湿水用第２電磁弁３１に閉鎖指令を送信する。加湿水用第２電磁弁３１は、コントローラ１６から送信された閉鎖指令にしたがってその弁機構を閉鎖する。なお、測定湿度が設定湿度に達している間、加湿水用第２電磁弁３１の弁機構の閉鎖が継続される。
【００７３】
第２空調運転（第２空調操作）では、加湿水用第２電磁弁３１の弁機構が閉鎖され、加湿水（水道水）の加湿エレメント２２への給水が停止される。加湿されない空調空気は、給気ダクト２５から空調室１１に供給される。なお、測定湿度が設定湿度に達している間、第２空調運転（第２空調操作）が実施され、測定湿度が設定湿度に達しなくなると、再び第１空調運転（第１空調操作）が実施される。
【００７４】
図４は、空調システム１０Ａ（空調方法）における弱殺菌運転（弱殺菌操作）の一例を説明する図である。図４に基づいて、空調システム１０Ａ（空調方法）における弱殺菌運転（弱殺菌操作）の一例を説明すると、以下のとおりである。空調システム１０Ａ（空調方法）では、加湿エレメント２２やドレンパン２４に発生した菌（繁殖した菌）を殺菌する場合、第１空調運転（第１空調操作）または第２空調運転（第２空調操作）を停止し、加湿エレメント２２やドレンパン２４を殺菌する殺菌運転（弱殺菌運転または強殺菌運転）を実施する。殺菌運転では、加湿水給水ライン１３からの加湿水の給水を停止しつつ、機能水貯水タンク３５，４１に貯水された機能水（第１機能水または第２機能水）を送水ポンプ３６，４２を介して機能水供給ライン１４，１５から加湿エレメント２２やドレンパン２４に所定時間（設定時間）供給する。
【００７５】
コントローラ１６は、第１および第２送水ポンプ３６，４２の停止時間（停止期間）にあるかを判断する。第１空調運転（第１空調操作）または第２空調運転（第２空調操作）を実施してから１週間が経過し、第１送水ポンプ３６の稼働時間になく（停止時間にあり）、第２送水ポンプ４２の停止時間にない（稼働時間にある）場合、空調システム１０Ａ（空調方法）では、第２機能水供給ライン１５による弱殺菌運転（弱殺菌操作）を実施する。なお、図２のタイムスケジュールに示すように、１週間の期間（時間）の起算日（起算時間）は弱殺菌運転（弱殺菌操作）を行う毎にリセットされ、弱殺菌運転（弱殺菌操作）が行われた後、あらたに１週間の期間（時間）が進行する。
【００７６】
弱殺菌運転（弱殺菌操作）では、加湿水供給ライン１３から加湿水は給水されず、第１機能水供給ライン１４から第１機能水は供給されない。弱殺菌運転（弱殺菌操作）においてコントローラ１６は、加湿水用第１電磁弁３０に閉鎖指令を送信する。加湿水用第１電磁弁３０は、コントローラ１６から送信された閉鎖指令にしたがってその弁機構を閉鎖する。それによって、加湿水給水ライン１３からの加湿水の給水が停止する。
【００７７】
弱殺菌運転（弱殺菌操作）においてコントローラ１６は、第２送水ポンプ４２の稼働時間にあると判断し、第２送水ポンプ４２に稼働指令を送信する。第２送水ポンプ４２は、コントローラ１６から送信された稼働指令にしたがってその電源がＯＮとなる。また、コントローラ１６は、第１送水ポンプ３６の停止時間にあると判断し、第１送水ポンプ３６に停止指令を送信する。第１送水ポンプ３６は、コントローラ１６から送信された停止指令にしたがってその電源がＯＦＦのままとなり、停止状態を保持する。
【００７８】
第２送水ポンプ４２が稼働すると、図４に矢印Ｌ３で示すように、第２機能水貯水タンク４１に貯水された第２機能水がタンク４１から機能水用第２供給管４４を通って加湿エレメント２２の上端部２７からエレメント２２全域に供給される。また、第２機能水が供給管５２を通ってドレンパン２４に供給される。なお、第２機能水をドレンパン２４に供給しない場合、仕切弁５３の弁機構が閉鎖される。加湿エレメント２２では、第２機能水を保水し、余剰分をドレンパン２４に排水する。弱殺菌運転（弱殺菌操作）では、加湿エレメント２２が第２機能水によって殺菌され、ドレンパン２４が第２機能水によって殺菌される。
【００７９】
なお、第２機能水が供給されると、第２機能水貯水タンク４１における第２機能水の貯水量が減少する。第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【００８０】
第２送水ポンプ４２が稼働してから３０分が経過し、第２送水ポンプ４２の稼働時間が経過した場合、コントローラ１６は、第２送水ポンプ４２の停止時間にあると判断し、第２送水ポンプ４２に停止指令を送信する。さらに、加湿水用第１電磁弁３０に開放指令を送信する。第２送水ポンプ４２は、コントローラ１６から送信された停止指令にしたがってその電源がＯＦＦとなり、停止状態を保持する。加湿水用第１電磁弁３０は、コントローラ１６から送信された開放指令にしたがってその弁機構を開放する。第２送水ポンプ４２が稼働してから３０分が経過した後、第１空調運転（第１空調操作）または第２空調運転（第２空調操作）のいずれかが行われる。図４の弱殺菌運転（弱殺菌操作）では、コントローラ１６が空調機１２の稼働を停止する第１殺菌運転（第１殺菌操作）が行われる場合、または、コントローラ１６が空調機１２の稼働を継続する第２殺菌運転（第２殺菌操作）が行われる場合がある。
【００８１】
弱殺菌運転（弱殺菌操作）において空調機１２の稼働を停止する第１殺菌運転（第１殺菌操作）では、空調機１２から空調室１１への空調空気の供給が停止され、第２機能水が加湿エレメント２２やドレンパン２４に留まり、第２機能水の成分を含む空調空気は空調室１１に供給されない。弱殺菌運転（弱殺菌操作）における第１殺菌運転（第１殺菌操作）において空調機１２の運転を停止させることで、加湿エレメント２２やドレンパン２４に第２機能水を留めることができ、加湿エレメント２２やドレンパン２４に菌が発生（繁殖）したとしても、第２機能水を利用して加湿エレメント２２やドレンパン２４を確実に殺菌することができる。また、第２機能水の成分を含んだ空調空気が空調室１１に供給されることはなく、第２機能水の臭気の空調室１１への充満を防ぐことができる。
【００８２】
弱殺菌運転（弱殺菌操作）において空調機１２の稼働を継続する第２殺菌運転（第２殺菌操作）では、空調機１２から空調室１１への空調空気が継続して供給され、第２機能水の成分を含む空調空気が空調室１１に供給される。弱殺菌運転（弱殺菌操作）における第２殺菌運転（第２殺菌操作）において空調機１２を運転することで、第２機能水の成分を含んだ空調空気が空調室１１に供給され、第２機能水の殺菌作用（殺菌効果）によって空調室１１の空気が殺菌されるから、加湿エレメント２２やドレンパン２４を殺菌することができるのみならず、空調室１１も殺菌することができる。
【００８３】
図５は、空調システム１０Ａ（空調方法）における強殺菌運転（強殺菌操作）の一例を説明する図である。図５に基づいて、空調システム１０Ａ（空調方法）における強殺菌運転（強殺菌操作）の一例を説明すると、以下のとおりである。コントローラ１６は、第１および第２送水ポンプ３６，４２の停止時間（停止期間）にあるかを判断する。第１空調運転（第１空調操作）または第２空調運転（第２空調操作）を実施してから１ヶ月が経過し、第２送水ポンプ４２の稼働時間になく（停止時間にあり）、第１送水ポンプ３６の停止時間にない（稼働時間にある）場合、空調システム１０Ａ（空調方法）では、第１機能水供給ライン１４による強殺菌運転（強殺菌操作）を実施する。なお、図２のタイムスケジュールに示すように、１ヶ月の期間（時間）の起算日（起算時間）は強殺菌運転（強殺菌操作）を行う毎にリセットされ、強殺菌運転（強殺菌操作）が行われた後、あらたに１ヶ月の期間（時間）が進行する。
【００８４】
強殺菌運転（強殺菌操作）では、加湿水供給ライン１３から加湿水は給水されず、第２機能水供給ライン１５から第２機能水は供給されない。強殺菌運転（強殺菌操作）においてコントローラ１６は、加湿水用第１電磁弁３０に閉鎖指令を送信する。加湿水用第１電磁弁３０は、コントローラ１６から送信された閉鎖指令にしたがってその弁機構を閉鎖する。それによって、加湿水給水ライン１３からの加湿水の給水が停止する。
【００８５】
強殺菌運転（強殺菌操作）においてコントローラ１６は、第１送水ポンプ３６の稼働時間にあると判断し、第１送水ポンプ３６に稼働指令を送信する。第１送水ポンプ３６は、コントローラ１６から送信された稼働指令にしたがってその電源がＯＮとなる。また、コントローラ１６は、第２送水ポンプ４２の停止時間にあると判断し、第２送水ポンプ４２に停止指令を送信する。第２送水ポンプ４２は、コントローラ１６から送信された停止指令にしたがってその電源がＯＦＦのままとなり、停止状態を保持する。
【００８６】
第１送水ポンプ３６が稼働すると、図５に矢印Ｌ４で示すように、第１機能水貯水タンク３５に貯水された第１機能水がタンク３５から機能水用第１供給管３８を通って加湿エレメント２２の上端部２７からエレメント２２全域に供給される。また、第１機能水が供給管５２を通ってドレンパン２４に供給される。なお、第１機能水をドレンパン２４に供給しない場合、仕切弁５３の弁機構が閉鎖される。加湿エレメント２２では、第１機能水を保水し、余剰分をドレンパン２４に排水する。強殺菌運転（強殺菌操作）では、加湿エレメント２２が第１機能水によって殺菌され、ドレンパン２４が第１機能水によって殺菌される。
【００８７】
なお、第１機能水が供給されると、第１機能水貯水タンク３５における第１機能水の貯水量が減少する。第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【００８８】
第１送水ポンプ３６が稼働してから３０分が経過し、第１送水ポンプ３６の稼働時間が経過した場合、コントローラ１６は、第１送水ポンプ３６の停止時間にあると判断し、第１送水ポンプ３６に停止指令を送信する。さらに、加湿水用第１電磁弁３０に開放指令を送信する。第１送水ポンプ３６は、コントローラ１６から送信された停止指令にしたがってその電源がＯＦＦとなり、停止状態を保持する。加湿水用第１電磁弁３０は、コントローラ１６から送信された開放指令にしたがってその弁機構を開放する。第１送水ポンプ３６が稼働してから３０分が経過した後、第１空調運転（第１空調操作）または第２空調運転（第２空調操作）のいずれかが行われる。図５の強殺菌運転（強殺菌操作）では、コントローラ１６が空調機１２の稼働を停止する第１殺菌運転（第１殺菌操作）が行われる場合、または、コントローラ１６が空調機１２の稼働を継続する第２殺菌運転（第２殺菌操作）が行われる場合がある。
【００８９】
強殺菌運転（強殺菌操作）において空調機１２の稼働を停止する第１殺菌運転（第１殺菌操作）では、空調機１２から空調室１１への空調空気の供給が停止され、第１機能水が加湿エレメント２２やドレンパン２４に留まり、第１機能水の成分を含む空調空気は空調室１１に供給されない。強殺菌運転（強殺菌操作）における第１殺菌運転（第１殺菌操作）において空調機１２の運転を停止させることで、加湿エレメント２２やドレンパン２４に殺菌作用の強い第１機能水を留めることができ、加湿エレメント２２やドレンパン２４に菌が発生（繁殖）したとしても、第１機能水を利用して加湿エレメント２２やドレンパン２４を確実に殺菌することができる。また、第１機能水の成分を含んだ空調空気が空調室１１に供給されることはなく、第１機能水の臭気の空調室１１への充満を防ぐことができる。
【００９０】
強殺菌運転（強殺菌操作）において空調機１２の稼働を継続する第２殺菌運転（第２殺菌操作）では、空調機１２から空調室１１への空調空気が継続して供給され、第１機能水の成分を含む空調空気が空調室１１に供給される。強殺菌運転（強殺菌操作）における第２殺菌運転（第２殺菌操作）において空調機１２を運転することで、殺菌作用の強い第１機能水の成分を含んだ空調空気が空調室１１に供給され、第１機能水の殺菌作用（殺菌効果）によって空調室１１の空気が殺菌されるから、加湿エレメント２２やドレンパン２４を殺菌することができるのみならず、空調室１１も殺菌することができる。
【００９１】
空調システム１０Ａ（空調方法）は、湿度センサ１７が計測した湿度が設定湿度に達していない場合、加湿エレメント２２が空調機１２によって作られた空調空気を加湿する第１空調運転（第１空調操作）を実施し、湿度センサ１７が計測した湿度が設定湿度に達している場合、空調機１２によって作られた空調空気を加湿することなく空調室１１に供給する第２空調運転（第２空調操作）を実施するから、適度な湿度を有する空調空気を空調機１２から空調室１１に供給することができ、加湿エレメント２２に発生（繁殖）した菌を殺菌する場合、第１空調運転（第１空調操作）または第２空調運転（第２空調操作）を停止して加湿エレメント２２やドレンパン２４を殺菌する殺菌運転（殺菌操作）を実施するから、加湿エレメント２２やドレンパン２４を清潔な状態にすることができる。
【００９２】
空調システム１０Ａ（空調方法）は、加湿水を利用して空調空気を加湿し、適度な湿度を有する空調空気を空調室１１に供給することができるのみならず、空調機１２の加湿エレメント２２やドレンパン２４の殺菌が必要な場合に第１機能水または第２機能水を利用して加湿エレメント２２やドレンパン２４を殺菌することができ、加湿エレメント２２やドレンパン２４を清潔な状態で利用することができる。空調システム１０Ａ（空調方法）は、加湿エレメント２２やドレンパン２４を清潔な状態で利用することができるから、加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１に供給することができる。空調システム１０Ａ（空調方法）は、第１機能水または第２機能水の成分を含む空調空気を空調室１１に供給する第２殺菌運転（第２殺菌操作）を実施することで、第１機能水または第２機能水の成分を含んだ空調空気が空調室１１に供給され、第１機能水または第２機能水の殺菌作用（殺菌効果）によって空調室１１の空気が殺菌されるから、加湿エレメント２２やドレンパン２４を殺菌することができるのみならず、空調室１１も殺菌することができ、空調室１１を清潔な状態で利用することができる。
【００９３】
図６は、他の一例として示す空調システム１０Ｂの構成図であり、図７は、空調システム１０Ｂ（空調方法）における第１空調運転（第１空調操作）を説明する図である。図６のシステム１０Ｂが図１のそれと異なるところは、図１の空調室１１Ａ（第１空調室）の他に第２空調室１１Ｂが存在し、図１の空調機１２Ａ（第１空調機）の他に第２空調機１２Ｂが存在する点、それら空調機１２Ａ，１２Ｂからそれら空調室１１Ａ，１１Ｂに個別に空調空気が供給される点にある。さらに、加湿水供給ライン１３と第１および第２機能水供給ライン１４，１５とが第１空調機１２Ａと第２空調機１２Ｂとに接続されている点、加湿エレメント２２の上端部２７につながる給水管３８，４４に第１および第２切換用電磁弁４７Ａ，４７Ｂが設置されている点にある。
【００９４】
このシステム１０Ｂにおける空調室１１Ａ，１１Ｂや空調機１２Ａ，１２Ｂは図１のシステム１０Ａのそれらと同一であるから、図１と同一の符号を付すとともに、図１のシステム１０Ａの説明を援用することで、それらの詳細な説明は省略する。なお、空調室１１や空調機１２の数に特に限定はなく、システム１０Ｂに３室以上の空調室１１が存在し、３台以上の空調機１２が存在してもよい。また、１台の空調機１２によって２室以上の空調室１１を空調してもよい。
【００９５】
空調システム１０Ｂ（空調方法）は、所定容積を有する第１および第２空調室１１Ａ，１１Ｂと、空気を空調する第１および第２空調機１２Ａ，１２Ｂと、加湿水供給ライン１３と、第１および第２機能水供給ライン１４，１５（第１機能水供給ライン〜第ｎ機能水供給ライン）と、コントローラ１６（制御装置）と、湿度センサ１７Ａ，１７Ｂとから形成されている。なお、図５のシステム１０Ｂでは、２本の機能水供給ライン１４，１５が設置されているが、機能水供給ラインの本数に特に限定はなく、１本の機能水供給ラインのみが設置されていてもよく、３本以上の機能水供給ラインが設置されていてもよい。
【００９６】
湿度センサ１７Ａ，１７Ｂは、それら空調室１１Ａ，１１Ｂの内部に設置されている。湿度センサ１７Ａ，１７Ｂは、インターフェイス１８を介してコントローラ１６に接続されている。湿度センサ１７Ａ，１７Ｂは、各空調室１１Ａ，１１Ｂの内部の湿度を計測し、計測した測定湿度をコントローラ１６に送信する。空調室１１Ａ，１１Ｂの内部の設定湿度や設定温度は、コントローラ１６に送信される。
【００９７】
それら空調機１２Ａ，１２Ｂは、各空調室１１Ａ，１１Ｂに気化式加湿（滴下式加湿）によって加湿された空調空気または加湿されない空調空気を供給する。空調機１２Ａ，１２Ｂの制御部では、コントローラ１６から送信された設定温度によって冷却コイル２０または加熱コイル２１に熱媒を流し、空調室１１Ａ，１１Ｂの温度をコントロールする。加湿水供給ライン１３は、第１加湿水用電磁弁３０および２つの第２加湿水用電磁弁３１Ａ，３１Ｂと、２つのチャッキ弁３２と、加湿水用給水管３３とから形成されている。加湿水用給水管３３の基端部は、水源配管に連結されている。加湿水用給水管３３の先端部は、２つに分岐して気化式加湿エレメント２２の上端部２７に連結されている。
【００９８】
加湿水用第１電磁弁３０は、加湿水用給水管３３に取り付けられ、その制御部がインターフェイス１８を介してコントローラ１６に接続されている。それらチャッキ弁３２は、加湿水用給水管３３に取り付けられ、加湿水の逆流を防止する。それら加湿水用第２電磁弁３１Ａ，３１Ｂは、加湿水用給水管３３に取り付けられ、その制御部がインターフェイス１８を介してコントローラ１６に接続されている。
【００９９】
第１機能水供給ライン１４および第２機能水供給ライン１５は、２つに分岐して第１および第２空調機１２Ａ，１２Ｂの加湿エレメント２２に連結されている点、第１および第２切換用電磁弁４７Ａ，４７Ｂが設置されている点を除き、図１のそれらと同一である。空調機１２Ａに設置された加湿エレメント２２の上端部２７につながる供給管３８，４４には、第１切換用電磁弁４７Ａが設置され、空調機１２Ｂに設置された加湿エレメント２２の上端部２７につながる供給管３８，４４には、第１切換用電磁弁４７Ｂが設置されている。それら切換用電磁弁４７Ａ，４７Ｂの制御部は、インターフェイスを介してコントローラ１６に接続されている。コントローラ１６のハードディスクには、図１のシステム１０Ａと同様に、図２に示すタイムスケジュールが格納されている。
【０１００】
図７に基づいて、空調システム１０Ｂ（空調方法）における第１空調運転（第１空調操作）を説明すると、以下のとおりである。なお、第１および第２送水ポンプ３６，４２の停止時間（停止期間）や稼働時間（稼働期間）は、図１のシステム１０Ａと同一の時間（期間）が設定されているものとする。また、第１機能水貯水タンク３５に第１機能水が貯水され、第２機能水貯水タンク４１に第２機能水が貯水されているものとする。
【０１０１】
第１および第２送水ポンプ３６，４２の停止時間にある場合であって、各湿度センサ１７Ａ，１７Ｂが計測した測定湿度が設定湿度に達していない場合、空調システム１０Ｂ（空調方法）では、第１空調運転（第１空調操作）を実施する。第１空調運転（第１空調操作）では、各空調室１１Ａ，１１Ｂの温度がコントローラ１６から送信された設定温度になるように、各空調機１２Ａ，１２Ｂが冷却コイル２０または加熱コイル２１を調節する。さらに、加湿水供給ライン１３が各加湿エレメント２２へ加湿水を給水するとともに、加湿エレメント２２が各空調機１２Ａ，１２Ｂによって作られた空調空気を加湿する。
【０１０２】
第１空調運転（第１空調操作）では、第１および第２機能水供給ライン１４，１５から機能水は供給されない。第１空調運転（第１空調操作）では、コントローラ１６が加湿水用第１電磁弁３０の弁機構を開放した状態に保持する。また、コントローラ１６が第１および第２送水ポンプ３６，４２に停止指令を送信し、第１および第２送水ポンプ３６，４２がコントローラ１６から送信された停止指令にしたがって停止状態を保持する。
【０１０３】
コントローラ１６は、湿度センサ１７Ａ，１７Ｂが計測した測定湿度と設定湿度とを比較し、測定湿度が設定湿度に達していないと判断すると、加湿水用第２電磁弁３１Ａ，３１Ｂの弁機構を開放する。また、測定湿度が設定湿度に達していない間、加湿水用第２電磁弁３１Ａ，３１Ｂの弁機構の開放を継続する。加湿水用第２電磁弁３１Ａ，３１Ｂの弁機構が開放されると、図７に矢印Ｌ１で示すように、加湿水（水道水）が加湿水用給水管３３を通って加湿エレメント２２の上端部２７からエレメント２２全域に給水される。加湿エレメント２２では、加湿水を保水し、余剰分をドレンパン２４に排水する。空調機１２Ａ，１２Ｂによって作られた空調空気は、加湿水を保水した加湿エレメント２２を通過しつつ、加湿水と接触し、加湿された空調空気となる。加湿された空調空気は、図７に矢印Ｌ２で示すように、給気ダクト２６から空調室１１Ａ，１１Ｂに供給される。なお、測定湿度が設定湿度に達するまで第１空調運転（第１空調操作）が実施される。
【０１０４】
次に、空調システム１０Ｂ（空調方法）における第２空調運転（第２空調操作）を説明すると、以下のとおりである。第１および第２送水ポンプ３６，４２の停止時間にある場合であって、湿度センサ１７Ａ，１７Ｂが計測した測定湿度が設定湿度に達している場合（第１空調運転（第１空調操作）を実施した後、測定湿度が設定湿度に達した場合を含む）、空調システム１０Ｂ（空調方法）では、第２空調運転（第２空調操作）を実施する。
【０１０５】
第２空調運転（第２空調操作）では、第１および第２空調室１１Ａ，１１Ｂの温度がコントローラ１６から送信された設定温度になるように、それら空調機１２Ａ，１２Ｂが冷却コイル２０または加熱コイル２１を調節する。さらに、加湿水供給ライン１３から加湿エレメント２２への加湿水の給水が停止されるとともに、各空調機１２Ａ，１２Ｂによって作られた空調空気が各空調室１１Ａ，１１Ｂに供給される。
【０１０６】
コントローラ１６は、湿度センサ１７Ａ，１７Ｂが計測した測定湿度と設定湿度とを比較し、測定湿度が設定湿度に達したと判断すると、加湿水用第２電磁弁３１Ａ，３１Ｂの弁機構を閉鎖する。また、測定湿度が設定湿度に達している間、加湿水用第２電磁弁３１Ａ，３１Ｂの弁機構の閉鎖を継続する。第２空調運転（第２空調操作）では、加湿水用第２電磁弁３１Ａ，３１Ｂの弁機構が閉鎖され、加湿水（水道水）の加湿エレメント２２への給水が停止される。空調空気は、給気ダクト２５から空調室１１Ａ，１１Ｂに供給される。なお、測定湿度が設定湿度に達している間、第２空調運転（第２空調操作）が実施され、測定湿度が設定湿度に達しなくなると、再び第１空調運転（第１空調操作）が実施される。
【０１０７】
図８は、空調システム１０Ｂ（空調方法）における弱殺菌運転（弱殺菌操作）の一例を説明する図である。図８に基づいて、空調システム１０Ｂ（空調方法）における弱殺菌運転（弱殺菌操作）の一例を説明すると、以下のとおりである。コントローラ１６は、第１および第２送水ポンプ３６，４２の停止時間（停止期間）にあるかを判断する。第１空調運転（第１空調操作）または第２空調運転（第２空調操作）を実施してから１週間が経過し、第１送水ポンプ３６の稼働時間になく（停止時間にあり）、第２送水ポンプ４２の停止時間にない（稼働時間にある）場合、空調システム１０Ｂ（空調方法）では、第２機能水供給ライン１５による弱殺菌運転（弱殺菌操作）を実施する。
【０１０８】
弱殺菌運転（弱殺菌操作）では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。弱殺菌運転では、コントローラ１６が第２送水ポンプ４２の稼働時間にあると判断し、第２送水ポンプ４２に稼働指令を送信し、ポンプ４２の電源がＯＮとなり、ポンプ４２が稼働する。また、コントローラ１６が第１送水ポンプ３６の停止時間にあると判断し、第１送水ポンプ３６に停止指令を送信し、ポンプ３６の電源がＯＦＦのままとなり、ポンプ３６が停止状態を保持する。さらに、コントローラ１６が切換用第１および第２電磁弁４７Ａ，４７Ｂに開放指令を送信し、それら電磁弁４７Ａ，４７Ｂがその弁機構を開放する。
【０１０９】
第２送水ポンプ４２が稼働し、電磁弁４７Ａ，４７Ｂの弁機構が開放されると、図８に矢印Ｌ３で示すように、第２機能水貯水タンク４１に貯水された第２機能水がタンク４１から機能水用第２供給管４４を通って加湿エレメント２２の上端部２７からエレメント２２全域に供給される。また、第２機能水が供給管５２を通ってドレンパン２４に供給される。加湿エレメント２２では、第２機能水を保水し、余剰分をドレンパン２４に排水する。
【０１１０】
弱殺菌運転（弱殺菌操作）では、加湿エレメント２２が第２機能水によって殺菌され、ドレンパン２４が第２機能水によって殺菌される。第２機能水生成装置４０の制御部は、第２水位センサ４５から送信された実測水位が設定水位未満になると、第２機能水を生成しつつ、生成した第２機能水を第２機能水貯水タンク４１に供給し、第２機能水貯水タンク４１における第２機能水の貯水量を設定水位にまで回復させる。
【０１１１】
第２送水ポンプ４２が稼働してから３０分が経過し、第２送水ポンプ４２の稼働時間が経過した場合、コントローラ１６が第２送水ポンプ４２の停止時間にあると判断し、第２送水ポンプ４２に停止指令を送信し、ポンプ４２の電源がＯＦＦとなり、ポンプ４２が停止状態を保持する。コントローラ１６が加湿水用第１電磁弁３０に開放指令を送信し、加湿水用第１電磁弁３０がその弁機構を開放する。さらに、コントローラ１６が切換用第１および第２電磁弁４７Ａ，４７Ｂに閉鎖指令を送信し、それら電磁弁４７Ａ，４７Ｂがその弁機構を閉鎖する。第２送水ポンプ４２が稼働してから３０分が経過し、ポンプ４２が停止した直後に第１空調運転（第１空調操作）または第２空調運転（第２空調操作）のいずれかが行われる。図８の弱殺菌運転（弱殺菌操作）では、図１のそれと同様に、コントローラ１６が第１および第２空調機１２Ａ，１２Ｂの稼働を停止する第１殺菌運転（第１殺菌操作）が行われる場合、または、コントローラ１６が第１および第２空調機１２Ａ，１２Ｂの稼働を継続する第２殺菌運転（第２殺菌操作）が行われる場合がある。
【０１１２】
弱殺菌運転（弱殺菌操作）において第１および第２空調機１２Ａ，１２Ｂの稼働を停止する第１殺菌運転（第１殺菌操作）では、空調機１２Ａ，１２Ｂから空調室１１Ａ，１１Ｂへの空調空気の供給が停止され、第２機能水が加湿エレメント２２やドレンパン２４に留まり、第２機能水の成分を含む空調空気は空調室１１Ａ，１１Ｂに供給されない。弱殺菌運転（弱殺菌操作）における第１殺菌運転（第１殺菌操作）において空調機１２Ａ，１２Ｂの運転を停止させることで、加湿エレメント２２やドレンパン２４に第２機能水を留めることができ、加湿エレメント２２やドレンパン２４に菌が発生（繁殖）したとしても、第２機能水を利用して加湿エレメント２２やドレンパン２４を確実に殺菌することができる。また、第２機能水の成分を含んだ空調空気が空調室１１Ａ，１１Ｂに供給されることはなく、第２機能水の臭気の空調室１１Ａ，１１Ｂへの充満を防ぐことができる。
【０１１３】
弱殺菌運転（弱殺菌操作）において第１および第２空調機１２Ａ，１２Ｂの稼働を継続する第２殺菌運転（第２殺菌操作）では、空調機１２Ａ，１２Ｂから空調室１１Ａ，１１Ｂへの空調空気が継続して供給され、第２機能水の成分を含む空調空気が空調室１１Ａ，１１Ｂに供給される。弱殺菌運転（弱殺菌操作）における第２殺菌運転（第２殺菌操作）において空調機１２Ａ，１２Ｂを運転することで、第２機能水の成分を含んだ空調空気が空調室１１Ａ，１１Ｂに供給され、第２機能水の殺菌作用（殺菌効果）によって空調室１１Ａ，１１Ｂの空気が殺菌されるから、加湿エレメント２２やドレンパン２４を殺菌することができるのみならず、空調室１１Ａ，１１Ｂも殺菌することができる。
【０１１４】
図９は、空調システム１０Ｂ（空調方法）における強殺菌運転（強殺菌操作）の一例を説明する図である。図９に基づいて、空調システム１０Ｂ（空調方法）における強殺菌運転（強殺菌操作）の一例を説明すると、以下のとおりである。コントローラ１６は、第１および第２送水ポンプ３６，４２の停止時間（停止期間）にあるかを判断する。第１空調運転（第１空調操作）または第２空調運転（第２空調操作）を実施してから１ヶ月が経過し、第２送水ポンプ４２の稼働時間になく（停止時間にあり）、第１送水ポンプ３６の停止時間にない（稼働時間にある）場合、空調システム１０Ｂ（空調方法）では、第１機能水供給ライン１４による強殺菌運転（強殺菌操作）を実施する。
【０１１５】
強殺菌運転（強殺菌操作）では、コントローラ１６が加湿水用第１電磁弁３０に閉鎖指令を送信し、加湿水用第１電磁弁３０がその弁機構を閉鎖する。それによって、加湿水給水ライン１３からの加湿水の給水が停止する。強殺菌運転（強殺菌操作）では、コントローラ１６が第１送水ポンプ３６の稼働時間にあると判断し、第１送水ポンプ３６に稼働指令を送信し、ポンプ３６の電源がＯＮとなり、ポンプ３６が稼働する。また、コントローラ１６が第２送水ポンプ４２の停止時間にあると判断し、第２送水ポンプ４２に停止指令を送信し、ポンプ４２の電源がＯＦＦのままとなり、ポンプ４２が停止状態を保持する。さらに、コントローラ１６が切換用第１および第２電磁弁４７Ａ，４７Ｂに開放指令を送信し、それら電磁弁４７Ａ，４７Ｂがその弁機構を開放する。
【０１１６】
第１送水ポンプ３６が稼働し、電磁弁４７Ａ，４７Ｂの弁機構が開放されると、図９に矢印Ｌ４で示すように、第１機能水貯水タンク３５に貯水された第１機能水がタンク３５から機能水用第１供給管３８を通って加湿エレメント２２の上端部２７からエレメント２２全域に供給される。また、第１機能水が供給管５２を通ってドレンパン２４に供給される。加湿エレメント２２では、第１機能水を保水し、余剰分をドレンパン２４に排水する。
【０１１７】
強殺菌運転（強殺菌操作）では、加湿エレメント２２が第１機能水によって殺菌され、ドレンパン２４が第１機能水によって殺菌される。第１機能水生成装置３４の制御部は、第１水位センサ３９から送信された実測水位が設定水位未満になると、第１機能水を生成しつつ、生成した第１機能水を第１機能水貯水タンク３５に供給し、第１機能水貯水タンク３５における第１機能水の貯水量を設定水位にまで回復させる。
【０１１８】
第１送水ポンプ３６が稼働してから３０分が経過し、第１送水ポンプ３６の稼働時間が経過した場合、コントローラ１６が第１送水ポンプ３６の停止時間にあると判断し、第１送水ポンプ３６に停止指令を送信し、ポンプ３６の電源がＯＦＦとなり、ポンプ３６が停止状態を保持する。また、コントローラ１６が加湿水用第１電磁弁３０に開放指令を送信し、加湿水用第１電磁弁３０がその弁機構を開放する。さらに、コントローラ１６が切換用第１および第２電磁弁４７Ａ，４７Ｂに閉鎖指令を送信し、それら電磁弁４７Ａ，４７Ｂがその弁機構を閉鎖するする。第１送水ポンプ３６が稼働してから３０分が経過し、ポンプ３６が停止した直後に第１空調運転（第１空調操作）または第２空調運転（第２空調操作）のいずれかが行われる。図９の強殺菌運転（強殺菌操作）では、図１のそれと同様に、コントローラ１６が第１および第２空調機１２Ａ，１２Ｂの稼働を停止する第１殺菌運転（第１殺菌操作）が行われる場合、または、コントローラ１６が第１および第２空調機１２Ａ，１２Ｂの稼働を継続する第２殺菌運転（第２殺菌操作）が行われる場合がある。
【０１１９】
強殺菌運転（強殺菌操作）において第１および第２空調機１２Ａ，１２Ｂの稼働を停止する第１殺菌運転（第１殺菌操作）では、空調機１２Ａ，１２Ｂから空調室１１Ａ，１１Ｂへの空調空気の供給が停止され、第１機能水が加湿エレメント２２やドレンパン２４に留まり、第１機能水の成分を含む空調空気は空調室１１Ａ，１１Ｂに供給されない。強殺菌運転（強殺菌操作）における第１殺菌運転（第１殺菌操作）において空調機１２Ａ，１２Ｂの運転を停止させることで、加湿エレメント２２やドレンパン２４に殺菌作用の強い第１機能水を留めることができ、加湿エレメント２２やドレンパン２４に菌が発生（繁殖）したとしても、第１機能水を利用して加湿エレメント２２やドレンパン２４を確実に殺菌することができる。また、第１機能水の成分を含んだ空調空気が空調室１１に供給されることはなく、第１機能水の臭気の空調室１１Ａ，１１Ｂへの充満を防ぐことができる。
【０１２０】
強殺菌運転（強殺菌操作）において第１および第２空調機１２Ａ，１２Ｂの稼働を継続する第２殺菌運転（第２殺菌操作）では、空調機１２Ａ，１２Ｂから空調室１１Ａ，１１Ｂへの空調空気が継続して供給され、第１機能水の成分を含む空調空気が空調室１１Ａ，１１Ｂに供給される。強殺菌運転（強殺菌操作）における第２殺菌運転（第２殺菌操作）において空調機１２Ａ，１２Ｂを運転することで、殺菌作用の強い第１機能水の成分を含んだ空調空気が空調室１１Ａ，１１Ｂに供給され、第１機能水の殺菌作用（殺菌効果）によって空調室１１Ａ，１１Ｂの空気が殺菌されるから、加湿エレメント２２やドレンパン２４を殺菌することができるのみならず、空調室１１Ａ，１１Ｂも殺菌することができる。
【０１２１】
空調システム１０Ｂ（空調方法）は、湿度センサ１７Ａ，１７Ｂが計測した湿度が設定湿度に達していない場合、各加湿エレメント２２が各空調機１２Ａ，１２Ｂによって作られた空調空気を加湿する第１空調運転（第１空調操作）を実施し、湿度センサ１７Ａ，１７Ｂが計測した湿度が設定湿度に達している場合、各空調機１２Ａ，１２Ｂによって作られた空調空気を加湿することなく各空調室１１Ａ，１１Ｂに供給する第２空調運転（第２空調操作）を実施するから、適度な湿度を有する空調空気を各空調機１２Ａ，１２Ｂから各空調室１１Ａ，１１Ｂに供給することができ、それら加湿エレメント２２やドレンパン２４に発生（繁殖）した菌を殺菌する場合、第１空調運転（第１空調操作）または第２空調運転（第２空調操作）を停止して各加湿エレメント２２や各ドレンパン２４を殺菌する殺菌運転（殺菌操作）を実施するから、それら加湿エレメント２２やそれらドレンパン２４を清潔な状態にすることができる。
【０１２２】
空調システム１０Ｂ（空調方法）は、加湿水を利用して空調空気を加湿し、適度な湿度を有する空調空気を各空調室１１Ａ，１１Ｂに供給することができるのみならず、それら空調機１２Ａ，１２Ｂの加湿エレメント２２やドレンパン２４の殺菌が必要な場合に機能水を利用して各加湿エレメント２２やドレンパン２４を殺菌することができ、各加湿エレメント２２やドレンパン２４を清潔な状態で利用することができる。空調システム１０Ｂ（空調方法）は、それら加湿エレメント２２やドレンパン２４を清潔な状態で利用することができるから、各加湿エレメント２２やドレンパン２４から空調空気に菌や悪臭が混入することはなく、加湿されて適度な湿度を有する清潔な空調空気や加湿されずに適度な湿度を有する清潔な空調空気を空調室１１Ａ，１１Ｂに供給することができる。
【０１２３】
図１０は、図６とは異なる空調システム１０Ｂの構成図である。図１０のシステム１０Ｂが図６のそれと異なるところは、空調機１２Ａ（第１空調機）に向かって延びていて加湿エレメント２２の上端部２７につながる給水管３８に第１切換用電磁弁４７Ａが設置され、空調機１２Ａに向かって延びていて加湿エレメント２２の上端部２７につながる給水管４４に第２切換用電磁弁４７Ｂが設置されている点、空調機１２Ｂ（第２空調機）に向かって延びていて加湿エレメント２２の上端部２７につながる給水管３８に第３切換用電磁弁４７Ｃが設置され、空調機１２Ｂに向かって延びていて加湿エレメント２２の上端部２７につながる給水管４４に第４切換用電磁弁４７Ｄが設置されている点にある。第１〜第４切換用電磁弁４７Ａ〜４７Ｄは、インターフェイス１８を介してコントローラ１６に接続されている。
【０１２４】
図１０に示すシステム１０Ｂにおけるその他の構成は図６のシステム１０Ｂのそれらと同一であるから、図６と同一の符号を付すとともに、図６のシステム１０Ｂの説明を援用することで、それらの説明は省略する。図１０のシステム１０Ｂは、それら給水管３８，４４に第１〜第４切換用電磁弁４７Ａ〜４７Ｄを設置し、第１〜第４切換用電磁弁４７Ａ〜４７Ｄを利用して第１および第２機能水の供給切替えを行うことで、空調機１２Ａにおいて弱殺菌運転（弱殺菌操作）を実施し、空調機１２Ｂにおいて強殺菌運転（強殺菌操作）を実施することができる。また、空調機１２Ａにおいて強殺菌運転（強殺菌操作）を実施し、空調機１２Ｂにおいて弱殺菌運転（弱殺菌操作）を実施することができる。なお、空調機１２Ａ，１２Ｂにおいて弱殺菌運転（弱殺菌操作）または強殺菌運転（強殺菌操作）のいずれかが行えることはいうまでもない。さらに、コントローラ１６が第１および第２空調機１２Ａ，１２Ｂの稼働を停止する第１殺菌運転（第１殺菌操作）が行われる場合、または、コントローラ１６が第１および第２空調機１２Ａ，１２Ｂの稼働を継続する第２殺菌運転（第２殺菌操作）が行われる場合がある。
【０１２５】
図１０のシステム１０Ｂは、空調機１２Ａ，１２Ｂの一方において弱殺菌運転（弱殺菌操作）を実施し、他方において強殺菌運転（強殺菌操作）を実施することができるから、菌の繁殖の度合い、加湿エレメント２２やドレンパン２４の使用年数、空調機１２Ａ，１２Ｂの新旧等の条件に応じて強弱いずれかの殺菌運転（殺菌操作）を各空調機１２Ａ，１２Ｂに適用することができ、それら空調機１２Ａ，１２Ｂの加湿エレメント２２やドレンパン２４を清潔な状態にすることができる。
【０１２６】
図１１は、他の一例として示す空調システム１０Ｃの構成図である。図１１のシステム１０Ｃが図１のそれと異なるところは、加湿機構として噴霧式を採用する空調機５１が設置されている点にある。このシステム１０Ｃのその他の構成は図１のシステム１０Ａと同一であるから図１と同一の符号を付すとともに、図１の説明を援用することで、このシステム１０Ｃのその他の構成の説明は省略する。
【０１２７】
空調機５１は、ハウジング１９と、冷却コイル２０および加熱コイル２１と、噴霧式加湿機構および送風機２３（ファン）と、ドレンパン２４と、制御部（図示せず）とから形成されている。空調機１２の制御部は、インターフェイス１８を介してコントローラ１６に接続されている。
【０１２８】
ハウジング１９には、空気流入口と空気流出口とが形成されている。空調機５１では、空気流入口から空気流出口に向かって、冷却コイル２０、加熱コイル２１、噴霧式加湿機構、送風機２３の順で並んでいる。空調機１２では、コントローラ１６から送信された設定温度によって冷却コイル２０または加熱コイル２１に熱媒を流し、空調室１１の温度や湿度をコントロールする。
【０１２９】
噴霧式加湿機構は、噴霧装置４９とエリミネーター５０とから形成されている。噴霧装置４９は、加湿水供給ライン１３から水を噴霧する。噴霧装置４９とエリミネーター５０とは、第１および第２機能水供給ライン１４，１５から供給される機能水を保水し、機能水のうちの余剰分をドレンパン２４に排水する。
【０１３０】
なお、加湿水供給ライン１３には、第１加湿水用電磁弁３０に替えて、加湿水送水ポンプ４８が加湿水用給水管３３に取り付けられている。加湿水送水ポンプ４８は、インターフェイス１８を介してコントローラ１６に接続されている。空調機５１は、システム１０Ａと同様のシステム１０Ｃに使用されているが、システム１０Ｂに使用することもできる。空調機５１は、第１および第２機能水供給ライン１４，１５から給水される機能水によって噴霧装置４９やエリミネーター５０、ドレンパン２４が殺菌される。図１１の弱殺菌運転（弱殺菌操作）や強殺菌運転（強殺菌操作）では、コントローラ１６が空調機１２の稼働を停止する第１殺菌運転（第１殺菌操作）が行われる場合、または、コントローラ１６が空調機１２の稼働を継続する第２殺菌運転（第２殺菌操作）が行われる場合がある。
【符号の説明】
【０１３１】
１０Ａ〜１０Ｃ  室調システム
１１    空調室
１１Ａ    第１空調室
１１Ｂ    第２空調室
１２    空調機
１２Ａ    第１空調機
１２Ｂ    第２空調機
１３    加湿水供給ライン
１４    第１機能水供給
１５    第２機能水供給
１６    コントローラ
１７    湿度センサ
１７Ａ，１７Ｂ    湿度センサ
２２    加湿エレメント（加湿機構）
２４    ドレンパン
３４    第１機能水生成装置（機能水生成装置）
３５    第１機能水貯水タンク（機能水貯水タンク）
３６    第１送水ポンプ（送水ポンプ）
３９    第１水位センサ（水位計）
４０    第２機能水生成装置（機能水生成装置）
４１    第２機能水貯水タンク（機能水貯水タンク）
４２    第２送水ポンプ（送水ポンプ）
４５    第２水位センサ（水位計）
４７Ａ    第１切換用電磁弁
４７Ｂ    第２切換用電磁弁
４８    加湿水送水ポンプ
４９    噴霧装置
５０    エリミネーター
５１    空調機
【図１】
2015215158.tif 000003
【図２】
2015215158.tif 000004
【図３】
2015215158.tif 000005
【図４】
2015215158.tif 000006
【図５】
2015215158.tif 000007
【図６】
2015215158.tif 000008
【図７】
2015215158.tif 000009
【図８】
2015215158.tif 000010
【図９】
2015215158.tif 000011
【図１０】
2015215158.tif 000012
【図１１】
2015215158.tif 000013